(57)【要約】  関連する情報交換、そして後に関連するビジネスにおける契約の発展を最大限に引き出すため、特殊かつ関連したカテゴリーに人々を組織化するための様々なビジネスタイプに属する集団のためのビジネスネットワークシステムと方法です。  その方法とシステムは申し込みをした会員、そしてさらに会員を関連性のある者同士小さなグループに細分しツールを提供します。  その方法は類似するバックグラウンドやビジネス経験を持つ会員同士を引き合わせ、関連する情報、メッセージのやり取り、または会合などを提供します。  システムは会員間でオンラインまたは対面し双方に関連した情報を交換することを  促進するツールを提供します。  全ての活動は追跡され、複数個の統計値にグループ分けされたのちに、ランクがつけられ会員にシェアされます。  統計値は点数表、またはカテゴリーに分けられたグループから駆除処罰としてTBSシステムが利用されています。【特許請求の範囲】
【請求項１】
個人間での自動ビジネスネットワーキングの方法は以下を含んでいる
前記データベース構造は会員カテゴリーと会員のビジネス機能のための階層的なデータ要素を含むことを特徴とする、会員カテゴリーと会員のビジネス機能のためのデータ要素を含むビジネスネットワーキンググループの個人会員に関する遠隔アクセス可能なデータベース構造を設立し管理する、      
前記データの回収と蓄積は前記階層的カテゴリーデータ要素と個人会員のためのビジネス機能データ要素の同一の証明を含むことを特徴とする、会員カテゴリーと会員のビジネス機能のための個人的なデータ要素を含む前記ビジネスネットワーキンググループの個人会員に関する前記データベース内のデータを回収し蓄積する。
会員のリストの提示は前記階層的カテゴリーデータ要素または前記階層的ビジネス機能データ要素の特定のレベルに制限されている。
前記リスト上の会員間でのネットワーキングイベントを提供する
会員内の活動として特定の会員間そして会員に囲まれた前記ネットワーキングイベントを追跡する。
各前記会員内の活動のデータ記録蓄積し前記記録を前記特定の会員に提供する
【請求項２】
前記特定レベルは同じまたは下の階層的レベルの前記会員のみを含むことを特徴とする、
請求項1記載の個人間での自動ビジネスネットワーキング方法。
【請求項３】
前記カテゴリーと前記ビジネス機能の両方の点で前記特定レベルは同じまたは下の階層的レベルの前記会員のみを含むことを特徴とする請求項2記載の個人間での自動ビジネスネットワーキング方法
【請求項４】
請求項3記載の個人間での自動ビジネスネットワーキング方法はさらに以下を含む、
a) 特定の同一である証明または前記カテゴリーや機能によることを基にした前記リストからのいかなる会員の可能性がある仲間の同一である証明
お互いに仲間になるために会員間で招待を提供する
いかなる前記の仲間招待の受諾を提供する
個人会員のために仲間として承諾された招待状の同一を証明、そして 
各前記仲間のデータ記録を蓄積することと前記仲間へ前記記録を供給すること。
【請求項５】
仲間間での最低限の会員内の活動レベルを提供することをさらに含んでいる請求項4記載の個人間での自動ビジネスネットワーキング方法。
【請求項６】
もし最低限の会員内の活動レベルが見合わない場合前記仲間の同一である証明を削除することをさらに含めている請求項5記載の個人間での自動ビジネスネットワーキング方法。
【請求項７】
前記ネットワーキングイベントは電子上の交流と個人内のイベントであることを特徴とする請求項1から6記載のうちどれか１つの個人間での自動ビジネスネットワーキング方法。
【請求項８】
前記ネットワーキングイベントはスレッド上の交流であることを特徴とする請求項7記載の個人間での自動ビジネスネットワーキング方法。
【請求項９】
さらに以下を含んでいる請求項1から6記載のうちどれか１つの個人間での自動ビジネスネットワーキング方法
大多数の社会会員を提供する
名前がある社会へ入るための明細事項を提供する、
社会に名前をつけた第一会員によって名前がある社会の創造を提供することは前記名前のある社会へ加入するための条件を含む、
各自の名前がある社会に加入するために名前がある社会の会員と前記社会の非会員の間での招待を提供する
もし前記明細事項と前記条件が前記非会員により見合えれば前記社会の招待の承諾を提供する
社会会員として承諾された社会の招待が同一である証明
社会内部の活動として各前記社会でそれぞれの会員内の活動のデータ記録の蓄積をする
【請求項１０】
前記ネットワーキングイベントは電子上の交流と個人内のイベントであることを特徴とする請求項9記載の個人間での自動ビジネスネットワーキング方法。
【請求項１１】
さらに以下を含んでいる請求項10記載の個人間での自動ビジネスネットワーキング方法
各前記社会の中でのそれぞれの社会会員の間での最低限の社会内部の活動レベルを提供する
前記最低限の社会内部の活動レベルが見合わない場合いかなる社会からも社会会員をやめさせる
【請求項１２】
前記条件は会員のカテゴリーそして会員のビジネス機能のための前記階層的データ要素を基にしていることを特徴とする請求項11記載の個人間での自動ビジネスネットワーキング方法。
【請求項１３】
それぞれの明細事項またはそれぞれの条件の最低限一つを基とした名前がある社会のための可能性がある会員の同一の証明をさらに含んでいる請求項12記載の個人間での自動ビジネスネットワーキング方法。
【請求項１４】
必須要素または優先要素の最低限1つを含む前記条件を特徴とする請求項13記載の個人間での自動ビジネスネットワーキング方法。
【請求項１５】
前記条件の明細事項または条件が見合うことが終わる場合いかなる社会からのいかなる社会会員をやめさせることをさらに含んでいる請求項14記載の個人間での自動ビジネスネットワーキング方法。
【請求項１６】
前記第一会員が特定の会員を社会へ参加するために招待することが可能であることを特徴とするここのパスコードの条件を供給することをさらに含んでいる請求項9記載の個人間での自動ビジネスネットワーキング方法。
【請求項１７】
各前記社会が公共の社会または私的な社会のどちらかであることを特徴とする請求項9記載の個人間での自動ビジネスネットワーキング方法。
【請求項１８】
前記公共の社会は社会の名前、条件、そして会員資格により会員が同一である証明をすることを特徴とする請求項17記載の個人間での自動ビジネスネットワーキング方法。
【請求項１９】
前記私的の社会は社会の名前、条件、そして会員資格により会員が同一である証明されることを特徴とする請求項17記載の個人間での自動ビジネスネットワーキング方法。
【請求項２０】
前記方法は前記データベース構造の範囲内に記憶された手続きにより実行することを特徴とする請求項9記載の個人間での自動ビジネスネットワーキング方法。
【請求項２１】
前記社会の招待の前記承諾は社会会員の間での投票を必須とすることを特徴とする請求項9記載の個人間での自動ビジネスネットワーキング方法。
【請求項２２】
コンピュータサービス、データ蓄積ディバイス、データ入力ディバイス、そしてデータ閲覧ディバイスを含める個人間の自動ビジネスネットワーキングの方法はコンピューティング・ディバイスを含んでおり、そのコンピューティング・ディバイスは以下の通りである
a)前記データーベース構造は会員カテゴリーと会員のビジネス機能のための階層的なデータ要素を含む前記データベースの構造を特徴とする、会員カテゴリーと会員のビジネス機能のためのデータ要素を含むビジネスネットワーキンググループの個人の会員に関する遠隔アクセスが可能なデータベース構造の設立そして管理。
前記データの収集することと蓄積することをは前記階層的カテゴリーのデータ要素と個人の会員のためのビジネス機能のデータ要素が同一である証明を含むことを特徴とする、会員カテゴリーと会員のビジネス機能のための個人のデータ要素を含む前記ビジネスネットワーキンググループの個人の会員に関する前記データべース内のデータの収集と蓄積。
前記階層的カテゴリーのデータ要素または前記階層的ビジネス機能のデータ要素の特定のレベルが制限された会員リストを表示する、
前記リスト上の会員間でのネットワーキングイベントを提供する、
会員内活動としての会員間、そして会員に囲まれた前記ネットワーキングイベントを追跡する
特定の同一を証明するものまたは前記カテゴリーまたは機能によることを基にした前記リストよりいかなる会員のためにも可能性のある仲間を見極める、
お互いの仲間になるために会員間での招待を提供する
いかなる前記仲間招待への承諾を提供する
個人の会員のために仲間として承諾された招待を確認する
各前記仲間の点での各前記仲間内の活動のデータ記録を蓄積し前記記録を各前記仲間に提供する。
【発明の詳細な説明】
【技術分野】
【０００１】
本出願は2011年8月10日に出願された米国仮特許出願第61/521810を引用することにより本明細書中に援用される。
【０００２】
発明、背景、そして既存技術の分野
発明の分野
本発明は組織化されたネットワーキング、システム化されたネットワーキングそして特に登録したユーザーや会員間でのインターネット上またはそれによるビジネスネットワーキング運営の分野に関連する。
【背景技術】
【０００３】
背景と先行技術
ソーシャルネットワーキングは至るところに存在するインターネットの特性、低価格、そしてほぼ皆が自由にコンピュータを使用でき、多様な形の接続方法が汎用されることが組み込まれた最近の現象となっている。
【０００４】
ユーザーはアカウントを作成し基本的には他人に向けた投稿の情報におけるすべてのアクセス件を持つ。
【０００５】
Facebook(商標)では認証された「友達」に限定されたアクセスによる状況の中で、利用できる情報の量や関連性を制限するための試みが行われている。
【０００６】
社会的拡大は基本的な関与と認証された連絡先リストの上に適合されている。
【０００７】
疑う余地のないほどにこのようなシステムは基本的な関与が働きかけることにより社会的拡大という目標を成し遂げている。
【０００８】
一部に、ユーザーは他のユーザーが情報を広めらるために投稿する個人のページやウォールを探索するであろうことを特徴とするためログイン過程により活動が制限される。
【０００９】
前記結果はいかなる状況下、特にいかなるビジネスにおける状況下において利便性が問われる無作為な社会的情報による大きな累積である。
【００１０】
ある無作為な社会的情報の自由流動を制限する試みは,ソーシャルネットワーキングサイトが不必要または不適切なユーザーコンテントを妨げる方法を探し求めていると2011年6月9日に公表されたAlfred Josephによる米国出願中特許第2011/0,138,298で示されている。
【００１１】
その方法は対象となるユーザーのプロフィールと同意にしたがい、第三者ユーザーによる新たな情報を投稿することを制限することにより実行される。
【００１２】
もう一方で、2011年6月9日公表されたWableによる米国出願中特許第2011/0,137,932によると、出願者は検索結果をシステムによって記憶されたユーザー情報に基づくものに制限することによって検索結果の関連性を高めるものを探しもとめている。
【００１３】
前記出願者が背景について以下のように語っている
[003] …..ソーシャルネットワーキングシステムでユーザは他のユーザを友達として（または別な方法で繋がったり、または他のユーザー達と関係を結ぶ）指名すること、メディアアイテムでの投稿や情報交換、アプリケーションの使用、グループへの加入、行事参加への記録や確認、投稿ページの作成、そして社会的相互作用を促進するその他の勤めを行うことができる。
【００１４】
ソーシャルネットワーキングシステムは、追跡またはシステムにより異なる方法で使用を大規模な情報一式の中より、ユーザが関連性のある情報を位置づけすることを助けるシステムに対する要求の良い例だ。  
【００１５】
[004] ユーザ各自における要求に対する検索をカスタマイズすることは役立つかもしれないにもかかわらず、多くのシステムは個人としての関連性のある情報を位置付けることは一定のユーザに更なる困難を作り出す情報であり、その情報を検索するユーザに関連性のある情報はほとんどない。
【００１６】
しかしソーシャル・ネットワーキング・システムは概して各ユーザに対し相当な量の情報を追跡する。前記追跡された情報は一定のユーザに関連する項目を確認することに影響を及ぼすことができる
しかし、現時点でソーシャルネットワーキングシステム上で利用できるクエリー機能(データベース検索、問い合わせの意)は前記システムに蓄積された情報に十分な影響を行使しない。
【００１７】
そしてまた他のシステムは、それ自身のユーザー達に提供するデータの関連性を向上するためのソーシャル・ネットワーキング・システムにより蓄積された情報を使用しない。      
【００１８】
そのうえもう一つ2011年6月9日に公表されたMirandaによる米国特許出願中の特許第2011/0,137,844にて叙述されている。
【００１９】
この出願にてあらかじめ割り当てられた個々の分野でのノウハウや知識レベルのように見える「仮想都市」を使用することにより関連性を増加するための試みが行われている。その後前記試みはユーザの関連性助長の追及により利用することができる。
【００２０】
そのシステムは専門家の業績を認識しそれらの業績を記憶するために探究する。
【００２１】
出願者は以下のように述べている。
【００２２】
仮想の技術的なネットワーキング建築は開かれたものとなっており、ユーザは資源の設置、ノウハウの探究、そして助言をし、教え、問題解決または要求を満たすために仮想都市範囲内に居住している特定されたエキスパートと共同して行動することができる。  
【００２３】
前記仮想都市内では前記エキスパート達はアバターとして表され、またさまざまなアバター(バーチャルリアリティーグラフィックスの中の人物を示すアイコンの意)の付属品によりさまざまなノウハウのレベルやさまざまな提携や職業が確認できることを特徴とする前記仮想都市はゲームによる技術環境をユーザに提供する。
【００２４】
仮想都市は共通の興味を持つ分野に分類された種類が豊富な情報源の知識管理も考慮している。            
【００２５】
従って、仮想都市は人々を結びつけ人知れず要求に応じた環境へと知識を送る。
【００２６】
それに応じ、種類が豊富な分野にいる全ての仮想都市のエキスパート達は作られ、それにより人や資源を合わは持った大きなグループは知的な資本や知識管理をもたらす。
【００２７】
仮想都市はそうして教育、訓練、そして情報を広めるために使用されると同時に、はっきりとした教育的または職業訓練の環境へと適用することができる。
【００２８】
なおその他に2011年4月21日に公表されたLunt(ラント)による米国発行された米国出願中の特許第2011/0,093,506に示されている。
【００２９】
Lunt(ラント)では検索結果の関連性は区切り度合いに基づいた最初の方の結果を制限することにより高めることを探し求めている。Lunt(ラント)は以下のように述べている。
【００３０】
[0004] 2. 関係する技術の記述
[0006] 検索エンジンの実績を評価する中でのメトリクのカギは検索結果の関連性である。
【００３１】
検索エンジン開発者たちは常に処理中の検索クエリーに関連性のある検索結果を届けるために努力している。
【００３２】
この目標と一貫して、数々の異なる事実に基づく検索結果を順位づけするための試みがある。
【００３３】
中でも検索結果の順位づけをするためにさらに好まれている方法はウェブページ上の位置や頻出キーワードを分析することを取り入れている。
【００３４】
もう一つ頻繁に使用されている技術はウェブページ同士がどのように関連づけているかを分析することである。
【００３５】
ウェブページは関連づけられた他のウェブページ数に基づいて順位を高める。
【００３６】
検索結果のクリック率はいくつかの検索エンジン内で分析される。
【００３７】
一般的な規定はクリック率が高ければ高いほど順位も高くなる。
【００３８】
[0007] 前記発明はその他に他の検索結果の関連性を改良するための技術を提供している。
【００３９】
前記発明の具体化をすることによると、スポンサがついているリンクやアルゴリズムの検索結果を含めた検索結果はクオリーに対する返答の中で作成される。そして前記検索結果はクオリーを提示した会員から前もってきめられていた分解度内にいるソーシャルネットワークの会員によって検索結果上のクリックの頻度に基づき順位づけされる。
【００４０】
もしクオリーの提示した会員の友人のみによる前記クリック活動が調査されるなら前もって決められていた分解度はと１と等しいとされる。
【００４１】
2011年3月3日公表されたFolgner(フォルナー)による米国出願中の特許第2011/0,055,725の中に、場所や目的によるユーザ推薦の中で、ユーザとユーザの検索頻度の結果の間にあるシステムの第一そして第二の特性により検索結果の関連性を高めることを探し求める
システムについて記載されてる。
【００４２】
2011年2月22日Wuに発行された米国特許第7,895,177の中で、自由形式検索による関連性の結果が述べられている。その結果とはクオリーが増えれば増えるほどはユーザのプロフィール、ソーシャルネットワークおよびまたは位置、そして総合評価に加えてユーザの元へ表示された結果を使用することが改善される
2010年6月20日にJaipuriaに発行された米国特許第7,761,383の中に、関連性を増加することとネットワーキング能力を最適化するためのさらなる努力が示されている。
【００４３】
社会的かつビジネスネットワーキング両方の使用についての討論が概説されている。
【００４４】
この発表の中で、個々のユーザは自分自身を登録し、それから仲間に各々個人にむけた特定レベルのアクセスを与える。
【００４５】
前記システムは他のユーザに関する情報へのアクセスが許される多数の架け橋となるリンクコードを提供すことを探し求めている。
【００４６】
アクセスレベルはユーザ個人の仲間に入手可能なユーザが取った連絡を含めた個人情報の量を管理する機会をユーザへ与える。
【００４７】
前記ユーザによって承認されたアクセスレベルに基づき、前記仲間は潜在的なネットワーキングのためのユーザ情報またはユーザの個人的なデーターベースにアクセスすることが可能かもしれないし、そうではいかもしれない。
【００４８】
直接2人の個人間で認められたアクセスレベルはお互いに同じである必要はない。
【００４９】
2001年1月16日にWeinrich(バインリヒ)に発行された米国特許第6,175,831の中で、最初のネットワーキング・データベースは個々のユーザによって開始されたプロセスの中で単独に個々の関係を認証することの上で作られた。    
【００５０】
その他の例の中で、ログインしたユーザ間での特定された位置でのコミュニケーションを提供することによってソーシャル・ネットワーキング・モデルを高めることを探し求めていると、2010年12月9日Brown, David に発行された米国で公開された係属中の出願第2010033142にて記されている。
【００５１】
IPアドレスは近くに位置するログイン済みのユーザ間での使用可能度を増やす位置を特定している施設を提供するために使用する。
【００５２】
さらにもう1つのユーザー情報は010年4月22日に公表されたTran, Truong による米国係属中の出願第20100100937のようにシステムにより確証される。  
【００５３】
その方法の中で、ビジネス情報を入力することは他のユーザへの関連性が増えるように
自動的に確証される。
【００５４】
ソーシャル・ネットワーキング・モデルはビジネスや専門的な活動へと拡張されている
これら早期の努力による結果が、不適切な情報とどんなに特定されたビジネスの目的でも大いに損なうような連絡に対しての要求による圧倒的な容量となりうる。
【００５５】
本質的には検索可能なデータベースはユーザのプロフィール、専門、または興味などによるキーワードと共に供給される。
【発明の概要】
【発明が解決しようとする課題】
【００５６】
発明の目的
前記発明の目的（この文章においてはTBSシステムを指す）はコンピュータ基盤のシステムとオンライン交流または実際に顔を合わせての面会を使用し組織化された会員間にて自動的に関係性のあるビジネスネットワーキング助長する方法を生み出すことだ。
【００５７】
TBSは促進された相互作用のために連続性と促進の働き両方の役割を果たす。    
【００５８】
オンラインの一部は実際に顔を合わせての面会間での連続性機能を果たす。.
そのような通常のオンライン・コミュニケーションは実際に顔を合わせる面会をより一層実りあるものとし、抑制を減少させるにつれて信頼が生まれ先立っての面会では各参加者の知識が増える。
【００５９】
実際に顔を合わせる面会での実りがより一層多い結果になることがより一層の価値があるということになる。
【００６０】
この価値は宣伝、企業問題の解決、個人的なアドバイスの要求、ビジネスの目的や生活様式における選択肢の管理、そしてその他の意思決定の形のための関連する情報を入手するために前記TBSシステムと方法を利用する人々の間において意義があり関連するビジネスの関係と解釈される。
【００６１】
関連性を管理し、メンバーによる情報、そして産業と特有の機能を持った社会を通してネット―ワーキングを促進させることがTBSシステムと方法の目的だ。
【００６２】
TBSシステムと方法はビジネスネットワーキングのためのコンピューターベースの仲介と関連性のある情報と概論のファシリテーターとして作用している。  
【００６３】
もう一つ主な目的は、オンライン・ソーシャル・ネットワーキング・サイトとネットワーキングがビジネス環境（ビジネスネットワーキング）上で促進されるために実際に顔を合わせるネットワーキング集団両方の効用における向上である。
【００６４】
前記本発明におけるさらにこの先の目的は特定の立場にあるユーザへの多様なオンライン上責任を供給することである。
【００６５】
責任の使用権は既存技術にはあまり見られない。
【００６６】
そのうえどのウェブサイトや実際のネットワーキンググループ内にも存在しない独人な組み合わせの責任を提供することがこの先の目的である。
【００６７】
前記発明におけるもう一つの目的は「作れば人が来る」という標準的なインターネットのアプローチではなく収益モデルとして作られたシステムと方法を提供することである。
【課題を解決するための手段】
【００６８】
本発明についての要約
前記本発明は、会員のカテゴリーと会員のビジネス機能のために階層的なデータ要素を含んでいる前記データベースを特徴とする会員カテゴリーのためのデータ要素と会員のビジネス機能を含めた個々のビジネスネットワーキング集団の会員に関する離れた場所からアクセスできるデータベースの構造を確立し維持することを含めた個人間で自動化されたビジネスネットワーキングの方法を提供している。
【００６９】
つまりはデータの収集と保存は階層的カテゴリーのデータ要素と個々の会員のためのビジネス機能データ要素の証明を含んでいることを特徴とする会員カテゴリーと会員のビジネス機能のために個別のデータ要素を含めた前記ビジネス・ネットワーキング・グループの個々のメンバーに関するものを前記データーベースにデータを収取し保存することであり、
階層的カテゴリーのデータ要素または階層的ビジネス機能のデータ要素における特定のレベルに制限されたメンバーのリストの提示、
リスト上の会員間でのネットワーキングの催し物に提供すること、
会員間の活動として特定のメンバー間におけるネットワーキングの催し物を追跡すること、
そして各会員間の活動データ記録を蓄積することと特定の会員に記録を提供することである。
【００７０】
前記本発明は特定のレベルは特定された階層的レベルにおける会員のみを含むことを特徴とするネットワーキング方法も提供する。
【００７１】
前記現在の発明は特定の同一視を元にしたリストまたは前記カテゴリーや機能によるいかなる会員のため、お互いの仲間となるための会員間での招待するため、いかなる仲間の招待を受け入れるため、個々の会員への仲間として受け入れられた招待を同一視するのため、そして各前記仲間のデータ記録を蓄積し前記記録を前記仲間に提供するために可能性のある仲間の同一視を含むネットワーキングの方法も提供する
前記本発明は仲間の間で最低限の会員間の活動レベルも提供する。
【００７２】
さらに進み、前記本発明は上記の方法とシステムに加えて多数の社会における会員のための提供、名つきの社会に加入する明細事項の提供、名つきの社会は前記名つき社会へ加入するための基準を含んだ上で最初の会員によって名つきの社会を開設するための提供、名つき社会の会員と社会のその社会の非会員の間で尊重された名つきの社会へ入会するために招待することの提供、社会の会員として承諾された社会への招待の明細事項がもし明細事項と基準が前記非会員によって交わされた場合の社会への招待を承諾することを提供、社会内の活動として各前記社会の尊重の中で会員内活動のデータ記録を蓄積を
を提供する。
【００７３】
前記システムと方法への加入と継続をするための生来のユーザによる『TBS責任』シリーズが含まれているユーザがコンピューティング機器の自動操作によるビジネスネットワーキングへの関与が可能であることが特徴の前記本発明はコンピュータ情報サーバー上に維持されているデータ構造を含むコンピュータとインターネット駆動型システムと方法も提供している。それらは以下の通りである。
【００７４】
a.会員になるためには
TBSユーザは収入と地理を基準とした広範囲のカテゴリーによって組織化されている。
【００７５】
TBSユーザは補助ユーザとして知識ベースを通しておのおのと効果的に一致するためにすべてのユーザプロフィールを完了する。
【００７６】
全ての必須分野を完了することを失敗すると社会へ加わることができないことと社会や会員を検索することができないことが好ましい様子とされる中で前記システムと方法ははユーザの制限された使用を生み出す結果になりうる。
【００７７】
b. TBS会員は最低限一つのTBS社会の一員である。その社会とは最低限20人、最高25人そして特定された目的の時間帯の下にグループ化された産業基盤または機能基盤である。
【００７８】
社会の一員になることを失敗すると新しい社会の設立、特別な社会への加入、またはいかなる社会会員との交流する会員の能力を制限する結果になる。
【００７９】
c. TBS社会会員は特定された時間枠の範囲内でその社会に定住し、また前記方法の中での前記手段への失敗は前記社会が解散する原因となる。
【００８０】
本発明、TBSはオンラインまたは実際にフェース・ツー・フェース（顔を合わせたの意）会合で交流を持つために社会会員へ簡単な動機づけを与える技法を提供する。
【００８１】
上記技法は3つの方法により成し遂げられる。
【００８２】
1. 採点システムによる義務的な交流活動
オンライン上やフェース・ツー・フェースかどうかにかかわらず、全ての交流の型式は特定された量の点数をもたらす。
【００８３】
最小限の月間点数を獲得しなければ、前記会員が前記グループのネットワーキングに対して付加価値を与えていないと意味するため前記社会より除名される結果をもたらす失敗となる。
【００８４】
第二に、前記点数と同様に他の会員の統計を全てのTBS会員は見ることができる。それゆえ地位の象徴を作り出すこと、競争、そして不履行への不安全てが動機づけの手段となる。
【００８５】
2.いかなる転機においても提案により援助する
会員間での交流は関連性のある情報の型式にはっきり分けられているユーザーを援助するためと、また特定された形式の考え、質問そして知らせのためにブレインストームすることを助けるためにいくつものカテゴリーに分類される。
【００８６】
各カテゴリー内では、テキストボックスがユーザへ質問する内容を所持している。
【００８７】
『委員会』に上がることによる実績の認識
最終的なオンライン上の実績は『社会』の委員会の方向性を定めるためにTBSに問われる。
【００８８】
前記実績を成し遂げるために、会員は最低限の得点数を与えられた期間内に得なくてはならない。
【００８９】
TBSアルゴリズムの内部はそれからどの会員を委員会会員とするために招待するか決定し、そして招待状を送る。
【００９０】
前記招待は地位の象徴/認識と社会会員に還元するための方法を意味する。
【００９１】
本発明の実施例の一つの中で、TBSは特定の『会員の責任』を提供する。
【００９２】
a. 『社会』会員は会員の社会を整理するためにできる限り釣り合う会員を探す
会員は『社会』への推薦者を確定する前に他の会員のプロフィールを読み評価する
b. 一度多数の会員が『社会』に推薦されたら受け入れを受理するか拒否をしなければならない。
【００９３】
もし前記会員が受け入れた場合、当選するべき前記社会への加入が必須となる。
【００９４】
加入することへの失敗はTBSから排除される結果をもたらす。
【００９５】
それから社会会員は全ての推薦者を審査し前記社会に最も価値あるものを運んでくるであろうユーザへ投票する。これをピアーツーピアー（対等な関係で行われる）審査とする。
【００９６】
当選するには67％の定足数、さらに定足数のうちの賛成数67％が必要である。
【００９７】
d.  組織化された集団（“組合”）へお互いに投票することにより会員達自身を小規模で首尾一貫した関連性のある集団に組織化する。
【００９８】
ユーザは人々にたいし確実に傾倒することが要求され、集団の人々は傾倒するこれらの行動が報われることを期待している
ユーザの責任は小規模ながら発展性のある前記システムの使用法とピアーツーピアー審査過程の中で得た実際のネットワーキング結果に基づく前記発明の方法を提供する本発明においての重要要素である
ユーザ組合は機能本位のレベルにおいて結成され、実際のネットワーキング結果によって進展するのみである。
【発明を実施するための形態】
【００９９】
優先体現
前記発明における優先体現は会員のためにウェブサイトと同様にインターネット上で使用できる情報データーベースを提供し、また優先体現に従って登録している会員（ここでは同様に「ユーザ」）間でネットワーキング、交流、相互作用を宛っている。
【０１００】
前記優先体現の最初の構成要素はコミュニケーションの方法や種類を設定するための前記会員による設定可能なアカウントページが一続きしたものである。
【０１０１】
『メッセージ発信通知設定』ページにつては以下の通りである。TBS安全設定は各ユーザにより管理されており前記ユーザーが望むように前記通知設定を調節できる。
【０１０２】
前記ユーザはわずかなTBSの週刊概要報告またはTBS会員より前記ユーザに送られる全ての情報に対する大量の通知を受け取るかもしれない。
【０１０３】
仲間設定ページ
『仲間申請の受け入れ範囲』とはユーザーは誰までが『仲間』申請を送ることが可能か認証を設定する
規定値設定は全てのTBS会員が行う。
【０１０４】
代わりとなる体現は『管理者とスタッフ』のような機能を持ち合わせたレベルに対する構成設定を含む。
【０１０５】
各組み分けにおける以下選択肢(1)『仲間申請』を受け入れない、(2)同じ職務内からの申請の場合は受け入れる、(3)同じ産業（NAICS:北米産業分類システム・レベル２に基づく）内からの申請の場合は受け入れる、(4)いかなる相互の仲間（COAC）からの申請を受け入れる、(5)全ての申請を受け入れる（全てのTBS役員会員のチェックボックスはこの選択肢のため初期設定されている）のため、前記システムは前記データベースの確認をし、またユーザの『プロフィール』情報を比べる。
【０１０６】
『マイアップデート』とはユーザアップデートの変更（称号、雇用者、雇用状態）を誰まで閲覧できるのか許可を設定する。またその範囲の選択肢は(1)私の仲間、(2)仲間の仲間( COAC『一時の隔たり』)、(3)私の社会会員、(4)該当者なしである。
【０１０７】
『監査証跡』ページとは全ての会員自身のページにおいて会員のPA（個人補佐官）により行われた全ての変更履歴を表示する(個人補佐間項にある監査証跡を参考)
表中の各項目は『完了』または『放棄』かどうか、そして同じログインセッションかどうかの行動を意味している。
【０１０８】
コラムのヘッダは以下のものを含む。(1) PAの名前（会員のアカウントを作用できるPAは1人以上いるため一番最初のコラムには会員を担当するPAの名前が記載されている。）、(2)ログインの日時、(3)開始時間、(4)終了時刻、(5)持続時間、(6)行動された活動(全てのウェブサイトの機能性は可能な行動リストへ振り分けられる。システムは前記リストより選択をしなければならない。)、(7)結果(『完了』または『放棄』)、『>』記号であらわされる（その記号をクリックすると、その通りの行動がユーザへ起こる。）
『セキュリティ設定ページ』はパスワード、セッション・タイムアウト、そしてセキュリティ質問設定により構成されている。
【０１０９】
『管理設定ページ』は課金選択肢、アカウントの無効、そして会員資格の機能性の解消より構成されている。
【０１１０】
『ヘルプページ』ではフッターのリンク先より『ヘルプ』をクリックすると右側のコラムのポップアップが表示され、この範囲は中央コラムの『ヘルプ』でいっぱいになる。
【０１１１】
しかしながらアカウント内では『ヘルプ』は中央コラムページいっぱいになる。
【０１１２】
どちらの方法にしても検索方法は４つに分かれる。
【０１１３】
優先体現の第二の構成要素は会員の仲間リスト、会員の仲間、モニター使用、そして会員のネットワーキング活動とビジネスの一覧表を作る仲間によるページのシリーズである。
【０１１４】
『仲間』とは、知り合いの会員と集合するために仲間のリストは各会員へと管理されている。
【０１１５】
『仲間の追加』とは仲間として会員を追加する唯一の方法は会員のプロフィールページより、『+仲間』項目をクリックすることである。TBS自動生成メッセージは会員が招待を『受け入れ』または『辞退』するかどうかの問い合わせされている会員の下へ送られる。
【０１１６】
『承認』をクリックすることで要求された会員がTBSより<名前>会員は『仲間』からの要求を承認したという情報を知らせる自動生成されたメッセージを受け取ることとなる。
【０１１７】
このやり取りは新しい『仲間』とのつながりを全ての仲間に知らせる『ステータスアップデート』として両者ともの共通の『仲間』すべてに向けた自動生成されたニュース投稿にもなる。
【０１１８】
『最低限の交流要求(達成するまでの最短時間)』とは (1)最低1点/6か月、つまりはTBSは互いの『仲間』の間での1点(メッセージ1件または会合1回)を最低条件としており、条件を満たせない場合は自動的に削除されることになる。
【０１１９】
削除されるまでに警告メッセージが2通優先して送られる。
【０１２０】
もし会員は月の内いつでも（1日、5日、17日など）『仲間』になれると、月の『最終』日に『仲間』になることが予想されるので、各月皆をまとめてグループにするほうが簡単である。
【０１２１】
(2)『6か月サイクルで回転』とは、各月初めに、前記システムは5か月間またはそれ以上の中で交流がない仲間を確認し、もし2人の会員間で最低1通メッセージのやり取りがないと、近づく『仲間』削除を会員に知らせるために様々な時に警告メッセージが送られる。
【０１２２】
前記データ上で『仲間』になった人々が追跡される。
【０１２３】
前記情報は6か月ごとに最低1点の必須条件を追跡するためと会員の『仲間』をどのくらいの期間知っているか会員に知らせる両方のため使用されることになる
『COAC(『仲間』の『仲間』)』について、会員は会員の『仲間』の『仲間』リストを見ることができるがそれ以上は出来ないので、つまりは(2)COACにメッセージをするこに対し、第二間隔での交流をするために会員が『仲間』を使用することはできない。
【０１２４】
まだ会員の『仲間』ではない(関連性がない)TBS上にいる誰かにメッセージを送るためにはユーザは会員のプロフィールページに行き『+会員にメッセージを送る』をクリックする。
【０１２５】
ユーザは会員検索結果、またはTBS上どこかで確認できる名前をクリックすることにより会員のプロフィールページにアクセスできる。
【０１２６】
会員が『仲間』を追加する方法は2通りあり以下がその方法である。
【０１２７】
検索を実施する
会員を見つける
プロフィールに行くため見つけた会員の名前ををクリックする。
【０１２８】
会員が『仲間』申請を許可するための『仲間』機能を設置している限り、『仲間に追加』というボタンをクリックする。
【０１２９】
COACを通した会社
会員の『仲間』の『仲間』リストを見る。
【０１３０】
もし追加したい人を見かけたら、その人のプロフィールページに行くためにその人の名前をクリックする、または、『+仲間』というCOACページ上の会員の名前のそばにあるボタンをクリックする。
【０１３１】
会員は存在する『仲間』にメッセージを送るための5つの選択肢がある。(1)会員の『仲間のページ』からドロップダウン・メニュー選択肢の『行動』範囲内より『+メッセージ』または『+会合』をクリックする、(2)メンバーの『プロフィール』ページから、『+メッセージ』または『+会合』をクリックする、(3)COACページより、会員の『仲間』のうち1人をクリックしその人の『プロフィール』ページを持ってきくる。そこで『会員の仲間を見る』をクリックする。そして連絡を希望するCOACをリストより選び、『メッセージ』または『会合』をクリックする、
(4)右のコラムにある『+メッセージ』または『+会合』のボタンを使う(5) 以下の選択肢(1)『仲間』にメッセージを送る(2)『仲間』に会合申請を送る(3)『仲間』を『削除する』 (4)この会員からの投稿は二度と受け入れないを組み込んでいる中央コラムのニュース投稿内のドロップダウンメニュー『活動』(各『仲間』の名前のそばに位置する)の中でドロップダウン・テキスト・ボックスを使用する。
【０１３２】
2種類のポップアップがありその種類は(1)ホーバーオーバー(覆いかぶさるの意)であり、情報（名前、役職、雇用者の記載がない）がないいかなるサムネイルはその情報を与えるための小型のサムネイルを以上のホーバーオーバーチップヘルプとなる、(2)ポップアップ・ボックスとは、小型サムネイルの下に位置する『共通する社会』(SiC)または『共通の仲間』のリンクをクリックすることで関連性がある情報と共に『社会』または『共通する仲間』の全リストをポップアップ・ボックスに与えることになる。
【０１３３】
『仲間のページのレイアウト』について、『仲間』の下には3つのタブがありその1つは(1)『申請と活動』、つまりは『仲間』のページに行きついた時の初期設定タブである。
【０１３４】
前記タブは2つの部分を持ち合わせている。まず(a)『仲間申請（部分）』、中央コラムの一番上の部分が全ての『未解決の仲間申請』のリストである。そして(b)『最近の活動（部分）』、ミニ『仲間』ページにある『仲間申請』の下には、新しい追加そして削除された仲間、現在会員の社会にはいない仲間、仕事の役職が変わった仲間、そして雇用主が変わった仲間という内訳で最近の活動(30日間)がすべて示されている。
【０１３５】
『最近の活動』と『ニュース投稿』の違いとは、『仲間』のページ（『最近の活動』）上で、会員が全ての仲間への(a)から(e)までの変更が見えるのにに対し、『ニュース投稿』上では会員は(d)と(e)そして彼らの共同社会の会員だけの情報のみが見える。
【０１３６】
『最近の活動』または『ニュース投稿』にかかわらず、全てのアップデートはシステム生成された通知である。
【０１３７】
(2)『私の仲間』とは会員が『仲間検索』ボックスのそばにある左上に位置する正しい小さなアイコンクリックをすることにより2つの方法で『仲間のリスト』見ることができ、そのリストの構成は『リストビュー』(垂直コラム)と『サムネイルビュー』(ページを通じてチェックボード形式に落とす)というものである。
【０１３８】
『リストビュー』ページはまた2つの機能を提供している。それらは(a)検索、つまり仲間の『リスト』の上ではるが『仲間申請』の下にある、ユーザ最低限２文字タイプすることで２文字と合う『仲間』のリストの事前設定を始めることによりいかなる仲間にも迅速にアクセスさせる検索の特徴である。
【０１３９】
会員はいくつかの方法のうち１つを使用して仲間の検索を行うことができ、その方法とは名前、都市、雇用者、大学そして(b)種類である。種類は『仲間検索』のそばにあるユーザがいくつかの方法の１つでユーザ自身の『仲間』を整理することができる『種類による』機能である。前記方法とは名、名字、雇用者、残り時間(退会)、共通の社会(『共通』の会員の『社会』の順番に『仲間』リストを作成する)、(3) 3.リストの管理とは会員に自身専用の『仲間』リストの作成、修正、そして削除をすることを可能とする。
【０１４０】
『リストの作成』については、新たなリストを作るための方法は３つあり(1)『手動』で行う方法で上にある『仲間を追加する』を見る。
【０１４１】
同じページに提示されないため同期または『リスト全体』方法の対立問題は起こらないとこいうことを特筆する。
【０１４２】
『リスト全体より選ぶ』は上にある『リスト全体より選ぶ』。
【０１４３】
『TBSデータベースより生成する』とは、会員は６つの異なるドロップダウン・メニューより選ぶことが可能であり、その選択肢は国、市、雇用者、社会、産業(NAICSレベル２に基づく)機能を組み合わせることもできる。
【０１４４】
選択肢を選び『生成』ボタンをクリックすると、検索結果が表示される。
【０１４５】
それから上記に記載されている『リストの作成』(チェックボックスに印をする)と同じ過程である。
【０１４６】
『仲間』は会員が希望するたくさんのリストの中の一部になることが可能であるが、もし『仲間』が削除されたら、会員もまた仲間の間の全てのリストや組み合分けから削除される。
【０１４７】
TBSは自動的に、雇用者、産業（NAISC  レベル2）大学、機能、友達、仕事/ビジネス、TBSネットワーキングという最低限７つのリストを現在のデータベース情報を基に各会員に対し生成する
さらに会員が『社会』に参加するとすぐに、前記社会とその後に参加する人全体はあらかじめ設定されたリストに追加される。
【０１４８】
前記社会の名前は自動的に名前リストとして追加される。
【０１４９】
『仲間申請』を受け入れることはメッセージではないので、どこにもメッセージが生成しない。
【０１５０】
『仲間』ページ内のみに『（名前）があなたに<仲間申請>を送りました』と表示される
『承認/拒否ボタン』とは一度承認されると全ての仲間は『ステータス・アップデート』にある『ニュース投稿』にて会員は現時点で『仲間』としてつながっているという投稿を受け取る。
【０１５１】
『仲間申請』の拒否は特に何もしないので、メッセージも生成されず、申請の招集者に拒否結果のお知らせもされないことを特筆する。
【０１５２】
会員がいくつ『仲間』申請を送り、前記申請が『拒否』に対していくつ承認されているかTBSは追跡している。
【０１５３】
『確認メッセージ』とは会員の『仲間』申請が承認されると申請者のもとへ『…(名前)…があなたの<仲間>申請を承認しました。』という自動生成メッセージが送り返される。
【０１５４】
全ての申請者の現在の『仲間』は以下のメッセージを申請者自身の『ニュース投稿』上に受取る。
【０１５５】
というのは、申請している会員、そして認証する会員は前記メッセージを受け取らない。（ステータス・アップデートのカテゴリー）
『社会への加入』では、毎回ユーザが『社会』に加入する度に、全ての『社会』会員が自動的にユーザの『仲間』に加えられ、『あなたはこの社会に参加しました。すべての会員があなたの<仲間>リストへ追加されています。』というTBSのメッセ―ジを受け取る。
【０１５６】
全ての追加『社会』会員が加えられたら、現時点での『社会』会員は『（名前）<社会>に参加したのであなたの<仲間>リスト上に加えられました。』と似たようなメッセージを受け取る。
【０１５７】
会員が『社会』を去る(辞職、投票による除籍、『入れ替え』のための引き抜き)と、TBSは『あなたはたった今(名前)<社会>を脱退しました。もしこれらの会員を削除したい場合、あなたの<仲間>リストをよく確認してください。』というメッセージを自動生成する。
【０１５８】
会員が立ち去ってすぐに残された社会の会員もまた『（社会の名前）を脱退しました』というTBSからの自動生成メッセージを受け取る。
【０１５９】
もしこれらの会員を削除したい場合、あなたの<仲間>リストをよく確認してください。
【０１６０】
『仲間の分類』とは以下の説明にあたる。まず『仲間申請』が認証されるとチェックボックスを通し選択肢が表示される。
【０１６１】
会員は複数の選択肢を選択することが可能だが必ず最低限選択肢の中の１つを選ばないといけない。
【０１６２】
これは各会員が会員自身の『仲間』データベースより作成する任意の『仲間』リスト
の『リスト』と同じではないと特筆する。
【０１６３】
同じ『リスト』の選択肢のどちらの部分も『仲間』ページ内のメニューに書き残される。
【０１６４】
例えば、ユーザのボスが全ての従属のスタッフに仕事に関係したリストに入ってもらいたいと仮定する。
【０１６５】
ユーザはTBS上で出会った仲間またはビジネスの世界で知っているただの友達を所有するかもしれない。
【０１６６】
全ての『仲間』は(1)友達、(2)仕事/ビジネス、(3)TBSネットワーキングという最低３つの大きなカテゴリーに入れられる。
【０１６７】
『+仲間ボタン』とは、一度会員が他の会員に『仲間申請』を送ると、他の会員のプロフィール上の前記『+仲間』ボタンが見えなくなる。
【０１６８】
それには３つのステータスがある。まず(1)『申請発送』、つまりは１つの『申請』がすでに送られてるため２つ目は不必要ということである。返事をする会員が実際に申請を『承認』または『拒否』するまでは、前記『+仲間』ボタンは『仲間申請中』に変わっているべきである。
【０１６９】
(2)『申請の承認』、つまりは会員は現段階で『仲間』である。そして(3)『申請の却下』、つまりは返事をする会員が『仲間』申請を拒否する。
【０１７０】
申請を『拒否』した返事をする会員がいつでも申請してくれた人に要請を送り返すことができる。
【０１７１】
TBSは構成(写真や説明文などのウェブサイトのアイテム)とユーザアカウントの構成を管理するためのコンテンツ管理システム(CMS)を含んでいる。
【０１７２】
詳しく書かれたまた必須な機能性については『パーソナルエイド』を確認する。
【０１７３】
『パーソナルエイド』の必須条件に加えて、CMSは特に『パーソナルエイド』のためのシステム監査プログラムやモニターへの様々なアクセスレベルを確立している。
【０１７４】
フェース・ツー・フェース(F2F)そして会合申請
『会合申請の作成』についてであるが、オンラインでのコミュニケーション(『ニュース投稿』、『メッセジ』、『生活様式スレッド』など)と並び、フェース・ツー・フェース(Face2FaceまたはF2F)会合は二番目に大切な優先体現の要素である。
【０１７５】
F2Fページは実際の会合が開かれるまでの情報記録つきのアップデートされたメモである。
【０１７６】
『会合申請』(4つの方法)を始めるが全て同じ情報を必要とする。以下がその４つの方法であり、(1)『+会合』は右側に位置するボタン(2)『+会員との会合』は全ての会員の社会に位置するボタン(3)『+社会会合』は各会員社会ページの中央コラムの上に位置するボタン(4)  『会合申請』は『メッセージセンター』の中央コラムの上に位置するリンク。
【０１７７】
『情報分野』について、以下の情報は４つの方法すべてを必要とする。その方法とは受取人、日にち、時間そして会合のタイプ(仮想またはF2F), ビデオ会議ソフトウェア(もし適応できるなら)、会合のためのアドレス、会合の型式(普通の小さいテーブルを囲うまたは円卓会議、メッセージからトピック、またメッセージから内容)である。
【０１７８】
送られた『会合申請』は会員の『メッセージセンター』に入れられる。
【０１７９】
もし会員が『承諾』をクリックすると会合が生作される。
【０１８０】
『最低参加人数』とは会合が考慮されなおかつ会合の記録が作成されるために、会合には参加者の１人として考慮される招集者を含めた最低でも２人の参加者が必須である。  
【０１８１】
F2Fページレイアウト(4タブ)
『近日中の会合(タブ1)』とは『メッセージ申請』が送られるとすぐに『マイ・オリジネイト・ミーティング(私が作った会合の意)』タブに属するの会合『招集者』のF2Fページ内でメッセージ記録が作られる。
【０１８２】
最低１人の参加者が『会合申請』メッセージ内の『受託』をクリックすると、前記会合は『招集者』の『近日中の会合』タブ内のみに記される。
【０１８３】
同様に、一度『受諾』すると前記記録は出席者の『近似中の会合』内のみに作られる。
【０１８４】
『マイ・オリジネイト・ミーティング』タブは単純に会員が参加した全ての会合申請のリストである。
【０１８５】
『会員ツールチップとポップアップ・ボックス』とはカーソルを他の会員の名前またはサムネイルへ動かすことで『より大きい』会員のサムネイル、『名前』、『役職』、『雇用者』、『双方の仲間の数』、『双方の社会の数』を含むホーバーオーバー・ポップアップ・ボックスを表示する。
【０１８６】
『ドロップダウン・メニュー選択』は『返信』、『全てに変身』、『参加不可能』、『出欠確認』を含んでいる。
【０１８７】
『会合記録の削除』とは『近日中の会合』内の『会合記録』は自動的に削除される。
【０１８８】
前記記録は会員が手動で削除することはできない。
【０１８９】
会合記録は２つのうち１つの方法で削除される。その方法とは(1)『取り消し』、つまりはもし会合が発動した会員により取り消された場合、または(2)『日付』、つまりはもし会合の日付が過ぎ、一度出席証明の過程がとり行われた時ののみ『近日中の会合』より前記記録は削除される。
【０１９０】
それから前記会合記録は『会合履歴』に入れられる。
【０１９１】
『カレンダー』には全てのF2Fでの『近日中の会合』が目で見て確認できるためのカレンダーウィジェットが含まれている。
【０１９２】
ホーバーオーバーは前記カレンダーの記録であり、完了した会合の詳細を示す大きなポップアップ・ボックスを表示する。
【０１９３】
前記ポップアップにより、もう一つのリンクで『予定表』、『出欠席』、そしてその他の詳細が見ることができるようになる。
【０１９４】
『出欠証明』とは点数を得るには出席と証明の両方が必要である。
【０１９５】
会合の招集者と参加者のどちらとも出席を立証しなくてはならない。
【０１９６】
システムはか各出席会員の『招集者』による証明がその会員の答えと一致するかどうか確かめる。
【０１９７】
もし一致したら点数が与えられる。
【０１９８】
『マイ・オリジネイト・ミーティング(タブ2)』は会員により設定され計画された(発起された)全ての会合の要約としての役割を果たし、会合申請を承認した人が誰でも関係なくその会員のみに有効である。
【０１９９】
『会合記録』のアイテムは発起した会員が会合を作成するときに入力されたものと
全て同じ情報を含む。(同じ情報が『近日中の会合』にて入手できる)
スレッドは『マイ・オリジネイト・ミーティング』内では発生しないがむしろ『近日中の会合』ではする。
【０２００】
また『失敗した見解』はなく、全ての会合記録のアイテムは全ての本文を示すために十分に拡大される。
【０２０１】
『ドロップダウン・メニュー選択』は『全ての変更された会合へ返信』、『会合の中止』、『出席確認』を含む。
【０２０２】
『<マイ・オリジネイト・ミーティング>より<参加者へメッセージを送る>』つまりは、『マイ・オリジネイト・ミーティング』タブより送られたいかなるメッセージは元のメッセージ(<会合申請>)インボックスに追加され、それ故スレッドに追加されるメッセージである。
【０２０３】
『変更されたメッセージ詳細のためのメッセージ』とは、いかなる会合の詳細が招集者により変更されたとき、一度『アップデート』がクリックされると、TBSは現時点での参加が見込めるかもしれないので『拒否』したものも含めた全ての招待者へのメッセージを自動生成する。
【０２０４】
前記新メッセージは『返信』として働き、会員自身の
インボックス内の最初のミーティングメッセージのスレッドに追加される。
【０２０５】
最初のメッセージはまた劇的な会合詳細の変更があるかもしれず、その場合変更点は『赤く』なる。
【０２０６】
メッセージの分類もまた変更するかもしれない。この時点では『変更ミーティング』は灰色だがボールドである。
【０２０７】
もし招待者が一人も『会合申請』に対してまだ返信をしていない場合、『近日中の会合』内の会合記録もまだ生成されていない。
【０２０８】
『招集者』がのちに『マイ・オリジネイト・ミーティング』内の『全てに返信』をクリックしたのにもかかわらず誰かが『会合申請を受諾』するとすぐに異なるメッセージスレッドへ追加され、それから『近日中の会合』内に生成された会合記録は『招集者』からも来たスレッド中の最初のメッセージ『だけではなく』元のメッセージ(全ての会合情報)も含んでいる。
【０２０９】
『会合記録の削除』とは各会合記録はいくつかの方法の１つにより『マイ・オリジネイト・ミーティング』より削除される。その方法は『会合の中止』、つまりはもし会合がドロップダウンメニュー選択を通し中止された場合、または『日付』、つまりはもし会合日程が過ぎた場合、前記記録は『近日中の会合』より削除される。
【０２１０】
しかしながら、『マイ・オリジネイト・ミーティング』からの前記各会合記録は発起した会員が出席確認の過程を実行するまで削除されない。
【０２１１】
一度その過程が完了すると、記録は削除され『会合履歴』に移動される。
【０２１２】
『議事日程』はF2F会議を簡略化し組み立てる。
【０２１３】
『議事日程』は参加しているどの会員も更新することができると同時に変更点が示されるwikiが提供している。
【０２１４】
この会合の一部であるどのエグゼクティブにリンクしている全てのPAは彼らの関連しているエグゼクティブと同じアクセスで議事予定を閲覧することができる。  
【０２１５】
議事日程は時間帯があるので、もし会合の合計時間が２時間に設定されていたら、個人の議事予定アイテムはそれ以外(分数)の時間設定をしなくてはならない。
【０２１６】
議事日程の各行には１人の参加者(または招集者)により１つの記録がつけられる。
【０２１７】
『フォローアップ・ポップアップ・メッセージ・ボックス』とは、『出席証明』のための同じポップアップ・ボックス内にある２つのチェックボックスである。
【０２１８】
１つは『フォローアップ・メモ』用でもう一つは『招集者への贈り物をする』(以下を参照)。
【０２１９】
各新しい記録アイテム認証のため、各『フォローアップ・メモを発送する』ためのチェックボックスは常にチェックを外されているべきである。
【０２２０】
前記ボックスをチェックすることでメッセージボックスを引き出すためにポップアップ・ボックス全体を下向きに拡張する。
【０２２１】
このボックスのチェックを外すことはこのポップアップ・ボックスの一部を破壊することになり、『証明』部分のみに戻る。
【０２２２】
『メッセージを送る範囲』では、このポップアップ・ボックスの範囲は受取人つまりは(1)招集者、(2)各個人の参加者を除いたいかなる『+メッセージ』ポップアプに見た目が似ている。
【０２２３】
この選択肢をクリックすると受取人ボックスが下向きに拡張し、招待者を含めた全ての参加者の一覧表を作成するという結果になる。
【０２２４】
会員は『X』をクリックすることによりこれらのどの名前も削除することができるが、会員の追加はできない。
【０２２５】
『後で発送』にてメッセージは後日送ることができる。
【０２２６】
システムは現時点での日付から会合の日程から開始し２週間後までの日程を許可している。
【０２２７】
題名の項目は最大で35文字である。
【０２２８】
その項目は必須である(最低限5文字)。
【０２２９】
メッセージ項目は必須である(最低限5文字)。
【０２３０】
『会社の贈り物ボックスのフォローアップ・ポップアップ』については以下の通りであり、各新しい記録アイテム認証のため『会社のギフトを送る』ためのチェックボックスは常にチェックが外されてる。
【０２３１】
前記ボックスをチェックすることでメッセージボックスを引き出すためにポップアップ・ボックス全体を下向きに拡張子する。
【０２３２】
前記ボックスは『題名の項目』、『メッセージの項目』、『贈り物』の選択肢を選ぶ、『中止』ボタン、『発送』ボタンを含む。
【０２３３】
『出席確認メッセージ』とは、一度会合の日程が過ぎると、『招集者』に続き全ての『参加者』は自身のインボックス(メッセージセンター)内でメッセージカテゴリーが『出席確認』というメッセージを受け取る。 
【０２３４】
『参加者』と『招集者』のどちらも(1) 高水準の会合の要約(日時、場所、<招集者>)、(2)メッセージを削除することはできるが『返信』または『転送』機能はない、(3)『本文』には『<出席確認>のためここをクリックし、あなたのフェイス・ツー・フェイスでの<近日中のミーティング＞へ行ってください。』という内容が記載されている。『出席確認』ではハイパーリンクのみがユーザへ正しいF2Fでの会合のページへ導く、という内容を含んでいる同じメッセージ受け取る。
【０２３５】
『左ダッシュ―ボード』では『主要ヘッダ』とサブヘッダが作成される。
【０２３６】
ユーザがクリックをするといつでも、ハイライトされた栗色のボックスは常にサブヘッダ上に置かれる。
【０２３７】
『アイテムの分類』とは左ダッシュボード・アイテムは4つの『主要なヘッダ』に分類され、その『サブヘッダ』は(1)『ニュース投稿』、『社会』、『フェイス・ツー・フェイス』、『プロフィール』、『スコア―カード』、『仲間』を含めた『エクゼグティブ・ネットワーキング』。
【０２３８】
(2)『エクゼグティブな健康』、『専門的な発達』、『スポーツ』、『レジャーと娯楽』、『旅行』、『家やコテージ』、『レストランガイド』が含まれた。『生活様式』。
【０２３９】
(3)市場
(4)(社会内部のためのサブフォルダ―、『仲間』、『PAに連絡』、『その他の会員』を含む)インボックス、『下書き』、『発送』、『メッセージ保存』、『写真保存』、『削除』を含む『メッセージセンタ』。
【０２４０】
生活様式項は会員に高級車、休暇の行き先、カクテルパーティへのケータ、遊船、財産アドバイザーなどの他のカテゴリー内の好みやおすすめを共有することができる。
【０２４１】
左のコラムにある生活様式部分とサブヘッディング(副題)はユーザが機能性を理解するために拡大可能である。
【０２４２】
中央のコラムもまたどのようにレイアウトが機能するかを示す。
【０２４３】
『<ログイン>、<適用>、<確認メール>、<条件の合意>、<新規登録>』について、TBSの主要ランディングページは『ログイン項目』(『Eメールアドレス』、『パスワード』、『パスワードを忘れたときのリンク』、『ログインボタン』、『詳細』)、と『適用ボタン』(『名』、『名字』、『Eメールアドレス』とEメールアドレスの再記入、『パスワード』、『適用』ボタン、TBS『ビデオ』、そして独占性についてのメッセージ)を含む。
【０２４４】
以下５つの項目はそれぞれの『レベル』（幹部職員、経営者、スタッフ）に見合ったTBSの基準を決定することを助ける。
【０２４５】
TBSは増加を適用するので、結果として生じる点数はユーザに与えられた情報によって可能性のある最高レベルの中へユーザを位置づけする。
【０２４６】
ユーザがどのレベルに達しても、ユーザの状況が変わり可能性のあるより高いレベルの順位に再応募するまで同じレベルに位置づけられる。
【０２４７】
ユーザがどのレベルに位置づけられていても、『おめでとうございます。この度お客様はTBSの(…)レベルの一員となりました。もしこちらの<レベル>がお客様の資格に不適切だと感じる場合、TBS管理者までご連絡いただけますようお願いいたします。そちら以外の場合大変申し訳ございませんが、お客様の現在の状況は私共のエグゼクティブ・ネットワーキング・プラットフォームと一致しかねます。お客様の状況が変わり次第、こちらにて再度お試しいただけますようお願いいたします。』というメッセージを受け取る。
【０２４８】
(1)『現金報酬』にて選択の範囲つきのドロップダウンメニュー
『?(質問)』ホーバーオーバーは『会員をエクゼグティブにする助けを要する』という内容の小さなボックスを起動させる。
【０２４９】
(2)会社収益、(3)役職、(4)『予算枠』では『会員が直接制御を所有することより上の予算枠』がある、(5)『チームサイズ』は、『質問』ホーバーオーバーは『エクゼグティブの直接制御の下にあるチームサイズ』という小さなボックスを起動させる。
【０２５０】
『市場』とは会員が利用できる全てのTBSサービスのウェブページの詳細
各アイテムはどのように主要点が運営され、どのように会員が広告や小売りの展望から利益があるか説明を有する。
【０２５１】
『中央コラムの上にあるヘッダーボックス』とは、『市場は<ビジネスと会社>(灰色の背景)まはた<個人と会社>のどちらかに従う』ことを構成するボックスヘッダーである。
【０２５２】
『タブ』について、ヘッダーボックスの下でF2Fに似ているこのタブは3つのレベルのベンダーを含む異なる中央コラムページに至る。そのレベルとは、まず最初に会員の必要性のカテゴリーによる分類、次に必要性のサブカテゴリーによる分類、そして最後に実際のベンダーのリストによる分類である。
【０２５３】
『2つの適切な一覧表を含む購入履歴の閲覧』は、『保留中の注文』と『過去の買い物』である。
【０２５４】
どちらも『購入日程』、『ユーザによる購入』、『送り状の番号』、『合計請求書』、『閲覧ボタン』、『承認ボタン』(補注中の注文のみ)を含む同じコラムを有する。
【０２５５】
『アカウントとパスコード』は会員より提供されたユーザと買い物のためのアカウントと承認レベルの型式を集約してある。
【０２５６】
また『パスコード生成』ボタンを含んでいる。
【０２５７】
『市場アカウント』はクゼクティブは『市場』パスコードを発行するこによって彼/彼女の代理で購買を実行するために他の人を後援することができる。
【０２５８】
『会員の地位とユーザアクセス・レベル』では、我々はTBSユーザを最低限4つのグループに分ける。(1) 『精査されたエクゼクティブ』とは大多数のTBSはエクゼクティブの条件を満たし、年会費を支払ってるユーザにより成り立っている、
このようなユーザは最大限の機能性を有する。
【０２５９】
『非精査されたエクゼクティブ(別名  臨時会員)』とはエクゼクティブの条件は満たしているが身元照会先がまだ認められていないユーザのことである。
【０２６０】
TBSが手作業で身元照会先に連絡するで確認するまで、ユーザの機能性は限られたものとなっている。
【０２６１】
一度プロフィールを完成させたら、(a)会員検索をできるが連絡を取ることができない。
【０２６２】
『閲覧』は会員の肩書き、雇用者、『社会』のリスト、『20xx年からの会員』、そして会員のネットワーキングレベルに制限されている、(b)社会を検索、つまりユーザを自身の好むリストに追加しるが参加や『加入』、また社会の設立もできない、(c) 全てのTBS会員ではないが他の『臨時会員』にメッセージを送れる、(d)『仲間』機能にはアクセスできない、(e)『生活様式』項目を閲覧できるがスレッドを追加することはできない。
【０２６３】
もし『臨時会員』がTBSの身元照会先確認に落ちると、そのユーザの『名前』と『Eメール』はブラックリストへと移動される。
【０２６４】
このブラックリストは常にTBSプラットフォームに新しく入ってくる全ての会員をよく調べなくてはいけない。
【０２６５】
さらに、もし会員が身元照会先確認に合格したが推薦状が事実とは違った記載であることが確定すると、その会員はTBSより追い出られることになり、その会員の名前/Eメールもまたブラックリストに追加される。
【０２６６】
(3)『ゲスト優待パス』とは、エクゼクティブの条件を満たしているがシステムを試してみたいユーザが現在のTBS会員より一か月間の無料体験パスコードを得られることである。
【０２６７】
一度プロフィールが完成し身元照会先が確認されると、社会への参加が許される。
【０２６８】
ゲストは社会の生成を手掛けることはできるが、何かを創造することはできない。
【０２６９】
(4)『非エクゼクティブの人々』について、エクゼクティブの条件には見合わないが社会の『リーダー』より招待されたユーザは前記社会に参加するためにパスコード(たとえばGovernment やAcademia)を使用する。
【０２７０】
メッセージセンター
『ヘッダーリンク(ドロップダウン・ボックス)』について、ドロップダウン・メッセージ・ボックスにはいくつもある中で、『受取人』のリスト(追加、変更、削除が可能である)、『パスコードの追加』、『中止』ボタン、『発送』ボタン、題名項目、本文項目へメッセージを送るなどが含まれている・・・
追加項目または『会合申請』は『日付』、『時間』、『型式』(仮想かF2Fか)、『アドレス』(もしF2Fなら)、『ビデオ』会議ソフトウェア(もし適用可能なら)を含む。
【０２７１】
『受取人の位置』はメンバーの名前に向かって右側の『ニュース投稿』と『メッセージセンター』と同じである。
【０２７２】
もし受取人が1人のみだったら、表示対象者の会員の名前を記入する。
【０２７３】
もし名前が1つのみ、または会員個人のリスト全体だったら、名前と『個人』のリストの色は栗色である。
【０２７４】
もし受取人が社会なら、色は青である。
【０２７５】
『個人』または社会の名前は全ての受取人を示すホーバーオーバー・ツールチップを有する。
【０２７６】
『社会』の名前をクリックする、またはツールチップ内のいかなる個人会員の名前をクリックするとその会員（または社会）のプロフィールに飛ぶ。
【０２７７】
『非関連会員』について、『非関連』会員にメッセ―ジを送るためにその会員の『プロフィール』ページに行き『会員にメッセージを送る』をクリックすることが唯一の方法なので、『非関連』会員より送られたメッセージは匿名またはリストの一部にになりえない、
つまりは一対一でのメッセージのやり取りであるべき、ということを特に意味している。
【０２７８】
『受取人』について、新しいメッセージを作成するためにドロップダウン・カテゴリーのリンクをクリックすると、『受取人』のドロップダウン・メニュー・ボタンには『社会』、『仲間リスト』、『個人』という選択肢が表示される。
【０２７９】
『個人』は『仲間』の名前を手動での入力またはTBSまたは会員が作成した予め定義づけられた『リスト』から選択することを選ぶことができる。
【０２８０】
『スレッドのための表示方法』とは、『メッセージセンター』内のメッセージに返信することでスレッドが立ち上がる。
【０２８１】
スレッド全体の日付は、一番最近の返信の日付が考慮されており、そのため会員の関連性があるメッセージフォルダーの一番上に移動する。
【０２８２】
メッセージがスレッドに追加されると、それから新しいメッセージと実際にそれを記入したメンバーが要約メッセージページ(インボックス)に現れる内容である。
【０２８３】
その意味とは、元のメッセージはインボックス内の単発記録の中にｈｓそれ以降は表示されない。
【０２８４】
もしユーザがそのスレッドを閲覧する前に、1人以上の会員が同じスレッド上にコメントを残すと、ユーザーがスレッド閲覧を選択した時に、『インボックス』は継続的に調節し時間/日付を基にした一番最近のコメントのみを表示することを特筆する。
【０２８５】
要約『インボックス』ページは会員のアイコン色、『サムネイル』、『題名』、『カテゴリー』、『スレッド内のメッセージ数』、『名前』、『本文』、『日時』、『シェーディング(未読メッセージのためであり、本文全体の裏の地域はが栗色に影付けされる)』を含む。
【０２８６】
『会合申請』メッセージは2つのボタンを含む。
【０２８７】
どちらのボタンがクリックされても、クリックされたボタンはグレーになりもう一方のボタンは消える。
【０２８８】
しかし本文の各ボタンは『承認済み』や『拒否済み』(過去形)と少し変わるだけである
『メッセージ中の右側選択肢』について、要約ページの中では、『x』のみがメッセージを消すことができる。
【０２８９】
一度メッセージ(とスレッドがもし1つ以上のメッセージがあれば)の詳細までクリックし続けると、選択肢は『返信』、『全てに返信』、『転送(もし<共有を許可する>が選ばれていると社会、<仲間>のリスト、または<仲間>個人に転送ができる)』、『下書き保存』、『削除』、『未読にする』、『会員を拒否する』となる。
【０２９０】
『コメントボックス』はメッセージ・スレッドの底に位置するボタンで本文入力項目、『下書き保存』、『返信』、『全てに返信』、『中止』ボタン、と『送信』ボタンという素早く返信できるボックスがある。
【０２９１】
他のメッセージ送信の『機能』は『共有の許可(メッセージの発起人がもし受取人がメッセージの転送が可能か決める)、『緊急(全ての受取人は外部からのEメール、SMSテキスト、または何もない（<アカウント>ページ内のお知らせ設定次第）を受けとる。』
『社会の<パスコード>の追加』、
『その他のフォルダー』は『返信』、『下書き』、『（メッセージ）保存』、『(投稿)保存』、『削除』である。
【０２９２】
『メッセージボックスの姿』はドロップダウン・メッセージ・ボックス(<メッセージセンター>ページ内のヘッダーリンクより)だけではなく全てのポップアップボックス(『転送』、『+メッセージ』、『+会合』)も表示、非表示、そして回復のために同じ手順を踏む。『表示する』にはこのモックアップ内で明記されているように、正しいボタンやリンクをクリックする
『非表示』ではポップアップまたはドロップダウンボックスを非表示にする方法が4つある。(1)『中止』をクリックすると全ての作業が消える(2)『発送』をクリックすると作業は保存され発送される(3)いかなる他のウェブページをクリックすると作業の消失(<下書き保存>が先にクリックされている場合を除いて)となり他のウェブページへの移動を招く(4)何か他のヘッダーリンクをクリックすることは現在までの作業の消失と新たなドロップダウンボックスを招く結果となる。
【０２９３】
メッセージの『回復』はもし『下書き保存』が使用されていた時のみ可能である。
【０２９４】
『メッセージ上の総合評価』
『仲間申請』において、『仲間』になるための招待を受け取りはメッセージではない。
【０２９５】
メッセージ記録は作成されず、『仲間』申請が受諾されるまで『メッセージセンター』内への表示や『ニュース投稿』も行われない。
【０２９６】
その時点で、全ての『仲間』はどの会員が現在つながっているかという『ステータスアップデート』の下の『ニュース投稿』内にメッセージを受け取る。
【０２９７】
申請されている会員はまたメッセージセンター内に<名前>会員が自身の『仲間』申請を受諾したことを教えるTBSからの自動生成されたメッセージを受け取る。
【０２９８】
『着色されたロゴ』について、各メッセージ(<ニュース>投稿、<メッセージセンター>、F2Fなど)のそばに1つまたは2つの着色されたアイコンが表示される。
【０２９９】
前記アイコンは受取会員のために会員が有する関連の型式を表示する
(サムネイルまたは会員の名前上の)ホーバーオーバー・ツールチップは『共通の仲間』と『共通の社会』を表示する。
【０３００】
着色されたアイコンのホーバーオーバは完全にインデックスの色分けされたサブフォルダと一致する『共通する社会は金』、『共通する仲間は青』、『非関連会員は灰色』、『TBSメッセージは赤』という意味を持つ4色で示されたお助け表を提示する。
【０３０１】
『社会内のメッセージ』において、『社会の会員』は匿名がどうかに関わらず全ての同じ社会の会員にメッセージを送ることができる。
【０３０２】
もしある『会社』の会員が他の『社会』の全ての会員に連絡を取ることを望んでいたら、前記『社会』の会員は他の『社会』の『リーダーに』許可を得るための個別メッセージを送らなければいけない。
【０３０３】
ニュース投稿
このページは会員のホームページと考慮され、別の方法を設定してない限り非会員ユーザの『関連した』会員に関係する特定の情報のための新たな電信役として行動する
前記はユーザの『投稿』が見ることができる会員の最大数はユーザに『関連する』会員であり、最低人数は共同社会の会員であるということを意味する。
【０３０４】
『ドロップダウン投稿ボックス内容』とは社会全体または仲間のリスト(個人を『追加』、『変更』、そして『削除』できる)を選択できる場所、『題名』、『メッセージボックス』、『チェックボックス(<匿名>、<緊急>、<共有の許可>)』である。
【０３０５】
もし会員が社会のリーダなら、『パスコードを追加』ボタンが新たな会員に招待メッセージとパスコードを送ることができる『+招待』とともに表示される。
【０３０６】
(全ての投稿は)右側に位置する『ドロップダウン・メニュー選択』は『返信』、『全てへ返信』、『保存』、『転送』、『削除』、『この会員からの投稿を二度と受諾しない』を含む
『トレッドのための表示法』において、CC(カーボンコピー)された会員が『ニュース投稿』アイテムに返信すると、スレッドが開始する。
【０３０７】
スレット全体の日付は、現時点では一番最近の返信の日付が考慮され会員の『ニュース投稿』の一番上に上がる。
【０３０８】
さらに、もしスレッドが2つ以上の返信がある場合、それから規定値により、最初のメッセージに加え一番最近の2つの返信がフィードの中で『全てのメッセージを閲覧する』というリンクと共に表示される。
【０３０９】
このリンクをクリックすることはスレッドを拡大しFB(商標)に似ているて、単純に『ニュース投稿』アイテムを下へと押し込む。
【０３１０】
このリンクはトグルスイッチである。つまりはもし拡大すると『失敗したメッセージリスト』へと変わる。
【０３１１】
また、もし会員がその他の『ニュース投稿』アイテムやウェブサイト上のその他のページをクリックすると、最初の『ニュース投稿』スレッドがそれから自動的に崩壊する。
【０３１２】
もしスレッドに1つまたは２つの返事しかない場合、トグルボタン/リンク、『全てのメッセージを閲覧する』は表示されるべきではない。
【０３１３】
その表示はもし３つ以上の返信があった時のみに現れるべきである。
【０３１４】
『会員のツールチップ』について、会員の名前や写真をホーバーオーバーすることによりツールチップが飛び出る。
【０３１５】
このツールチップはサムネイル、名前、役職、雇用者、『共通の社会』そして『共通の仲間』を含む。
【０３１６】
UI(ユーザーインターフェイス)の項目を参照。
【０３１７】
『ステイタス変更カテゴリー』とは、以下に記載されている出来事はTBSによる自動生成投稿が作成され、会員の『仲間』と『社会内』会員(『関連する』会員という)すべてに送信される。前記の出来事とは、『新たな<仲間>を受諾する』。そして『仲間』による立場(役職/機能)の『変更』、『仲間』による雇用者の変更(退職も含む)、社会への参加、社会の脱退である。
【０３１８】
プロモコード(販売促進用の記号)とパスコード
『プロモコード』とはTBSの会費を値引きする(10％から100%)目的のためだけの販売を促進する記号である
プロモコードはTBS管理者のみにより与えられ、管理者ユーザページ以外のTBS会員と同じ技法が生成される
プロモコードは会員や社会の機能に影響を及ぼさない。
【０３１９】
コーディングシステムは最初の文字が『F』という以外『パスコード』と同じように作用する。
【０３２０】
『プロモコード』は『パスコード』のように失効期限がある。
【０３２１】
『パスコード』とはなんであろうか？『パスコード』とは、特別な目的のアクセスコードである。  非TBSユーザにTBSへのアクセス、またはTBSへのアクセスに加え特定の社会への参加を可能とし、または社会のREC(Required Entry Criteria<必須の加入条件>)を満たしていない現在のTBSユーザへRECを回避する能力を与える。
【０３２２】
パスコードはまた自身のコード内で固有な割引を(10%から100%まで)提供することが可能で、それに加え使用期限を設けることも可能であるが、会員の特定の機能の形状と社会へのアクセスには常に制限がある。
【０３２３】
一般的なパスコードの崩壊
『非TBS会員』のために3つの『パスコード』がある。(1)『ゲスト優待パス』とはTBSのエクゼクティブ条件に見合っておりプラットフォームを試してみたい人のためである。
【０３２４】
このパスコードは特定の『社会』へアクセスできるとは限らない。
【０３２５】
この『パスコード』は『社会のリーダ』以外の会員によって発行が可能であることを特筆する、(2)『非エクゼクティブパスコード』は『TBSエクゼクティブ条件』に見合ってない人のためであり、プラットフォームへのアクセスを可能とするが、１つ特別な『社会』へのアクセス(公共または個人)を含まなければならい。
【０３２６】
一つの社会の中ではネットワーキングを超えた非常に限られた機能である。(3)『市場パスコード』とはTBS会員自身の部下が会員本人の代わり購買してほしい現在のTBS会員のためである。
【０３２７】
市場へのアクセスのみが可能である。
【０３２８】
この『パスコード』は『社会のリーダ』に限らずどの会員も発行することが可能であることを特筆する。
【０３２９】
『TBS会員のためのパスコード』には(1)『RECの回避』、つまりは特定の社会のRECには見合っていないTBS会員のため、また(2)私的な社会へ入るために『私的な社会へのアクセス』がある。
【０３３０】
『パソコードの失効期限の延長』について、特定の『パスコード』の型式は混合することが可能、またはそれを必須とする場合もあることを特筆する。
【０３３１】
例えば『非エクゼクティブ会員』のパスコードは『私的な社会パスコード』または『REC回避パスコード』のどちらかと『必ず合わせなくてはならい』。
【０３３２】
(1)『ゲスト優待パス』とは新しいTBS会員になる可能性がある会員にはTBSに一か月無料でアクセスできる権利を与える。
【０３３３】
前記会員候補は最大限のサイト機能を有するが、その段階では十分に調査されるべき存在であり、TBSが彼らの身元照会先を確認するまでは仮の会員である。
【０３３４】
さらに、彼らの『プロフィール』ページには彼らが『ゲスト』であり『会員』でないことが表示される。
【０３３５】
TBSは彼らの無料期限が失効になりどの時点で彼らに年会費を支払うことを聞くかを知るためにパスコードを追跡しなければならい。
【０３３６】
前記一か月期間は前記会員候補が最初に入会した時から始まる。
【０３３７】
(2) 『非エクゼグティブ会員のパスコード』はTBSエクゼクティブステイタスの条件に見合っていない人々がTBSにアクセスすることを許可する。
【０３３８】
この会費もまた割引が可能である。
【０３３９】
この機能性は『社会』の中で述べたように限定されている。
【０３４０】
彼らは『公共』または『私的』の社会どちらかに属することが可能である。
【０３４１】
『非エクゼクティブ』パスコードは『個人的な社会アクセス』または『REC回避の(公共の社会)パスコード』のどちらかと併用されなくてはならない。
【０３４２】
前記パスコードは非エクゼクティブ会員がTBSに入ることを許可される唯一の状況が『リーダ』が彼らを社会に招待するのを見極めるためなので2度入力しなくてはいけない。
【０３４３】
以下『パスコードの入力』では、(a)『登録と同時に』前記コードはいかなる割引とユーザの機能性の制限を決定し、そして(b)実在する社会に入るための『社会の入り口』(社会の『プロフィール』ページ上にある)がある。
【０３４４】
(3) 『私的な社会へのアクセス』とはエクゼクティブ・ステータスの条件に見合うとは限らないが親しいグループに招待されたい人々のためを意味する。
【０３４５】
『個人的な社会』コードはただ単に社会へのアクセスを与え、そのため『REC回避のパスコード(下にある<iv>を参照)』と同じように作用する。
【０３４６】
このパスコードは社会へのアクセスを許可するためだけのものなので、どの会員の機能性も制限しない。
【０３４７】
会員は『社会の入り口』にてコードを入力する。
【０３４８】
(4)『RECの回避』について、もしユーザがユーザ自身でTBSに入るためのエクゼクティブ・ステータスの条件に見合っていても、特定社会のRECに見合っていないかもしれないので加入できない。
【０３４９】
しかしながら、『リーダ』は前記メンバーがRECを回避し社会に参加できる『パスコード』を作ることができる。
【０３５０】
『社会の入り口』(<社会のプロフィール>ページ)上の『コード入力』項目にパスコードを入力する。
【０３５１】
この『パスコード』の型式は会員の機能性を制限しない。
【０３５２】
このパスコードは厳密に社会へアクセスすることだけである。
【０３５３】
『市場アカウント』では、ユーザがTBSに入るために『市場パスコード』を一度使うと、『市場アカウント』を作成することができる。
【０３５４】
これらは実際の生活のTBSエクゼクティブ会員に報告するまたは会員の配偶者である非エクゼグティブの人々により行われている会員資格である。
【０３５５】
これらの人々は『会員資格とユーザ・アクセス・レベル』の中で述べられてる以外では本当にすくないTBSの機能性を有する。
【０３５６】
これらのアカウントの目的は購買するための『TBS市場』への全てのアクセス権をユーザーに与えるためである。
【０３５７】
前記会員資格は無料であり、彼らを登録したエクゼクティブによる完全な管理がされる。
【０３５８】
全ての『市場アカウント』は『パスコード』を作成した『エクゼクティブ』にリンクしている。
【０３５９】
『市場パスコード』は『社会』ページ内より、または『市場』ページ内より生成することができる。
【０３６０】
詳しくは『市場』項目を参考。
【０３６１】
『パスコードの割引』について、割引を適用するTBS従業員か、またはエクゼクティブ(例えば大学教授)ではない非TBS会員が割引を適用することができ、そしてTBSデーターベースは非TBSユーザの型式に基づき割引を作成する。
【０３６２】
『確実性と時間枠』について、『ゲスト優待パスの時間枠』は1か月に設定されておりTBS従業員にのみより延長することができる。
【０３６３】
『パスコード』を生成した会員が前記『パスコード』を削除することを選ぶ、または前記会員は前記『パスコード』に特定の期間での適用をしている以外を除いて、他の全ての『パスコード』は会員が会費の期限(もし応用可なら)を払ったときに不確かな状態が長いと破棄されることになる。
【０３６４】
リーダたちはパスコードの期限を1か月から無期限まで設定することができる。
【０３６５】
『パスコードの安全性』にて、全ての『パスコード』と『プロモコード』は分類された状態で保存する義務がある。
【０３６６】
『人間の関与なし』つまりは、パスコードはTBSにより乱雑に生成される。
【０３６７】
『間違ったコードを入力』について、ユーザは正しいコードを入力する機会が３回あり、それ以上になると手続きから締め出されてしまう。
【０３６８】
『パスコードの削除』について、リーダまたはTBS従業員はいつでもパスコードの有効性を削除することが可能である。
【０３６９】
『追跡』において、TBSシステムは他人に転送するこが出来ないようにするため、TBSトラックシステムがEメールで送られてきた発行された全ての『プロモコード』または『パスコード』を追跡する。
【０３７０】
誰がパスコード『作成』できるだろう？『全てのTBS会員』は『ゲスト優待パス(TBS１か月のお試し)』、そして『市場パスコード』の２種類のみを作成できる。
【０３７１】
『社会のリーダ』は全ての種類の『パスコード』を作成することができる。
【０３７２】
『パスコードのコーディング・システム』において、全ての『パスコード』は12文字で乱雑に生成された英数字のコードが割り当てられるが、以下の特定の文字は除かれる、
『最初のパスコードの型式』とは、全ての『パスコード』の最初の文字は『型式』を示しており、現在6つの型式(6番目の<プロモコード>を含む)つまりは『AからF』が使用されている。
【０３７３】
また必ずしも大文字である必要はない。
【０３７４】
『任意の第二型式』について、もし最初のパスコードの型式が上記にある(i)であった場合、パスコードの第二型式は任意である。
【０３７５】
もし選ばれるとしたら、パスコードの2文字目は『1(私的の社会)』または『2(RECの回避)』である。
【０３７６】
もし第二型式が選ばれない場合、パスコードの二番目の文字は『0』である。
【０３７７】
そしてここまでのみの可能性は『A0…., A1….., A2….』である。
【０３７８】
『義務的な社会アクセス型式』とは、最初のパスコードの型式が『ii、上記非TBS会員を参照』であったら、それから第二アクセス型式が選ばれなければならない。
【０３７９】
そしてパスコードの第二文字は『1(私的の社会)』または『2(REC回避)』となる。
【０３８０】
それゆえここまでのみの可能性は『B1….とB2…..』である。
【０３８１】
『非社会アクセス型式』とは、(iii)、(iv)、そして(v)の選択肢において、第二『パスコード』型式の選択肢はないので、繰り返すが、二文字目は『0』となる。
【０３８２】
それゆえ、ここまでのいくつかの可能性は『C0…, D0…, E0…』となりC、D、またはEで始まらなければならい。
【０３８３】
『割引』について、その人が割引を手に入れる入れないにかかわらず、各パスコードの3と4文字目が割引を決定する。
【０３８４】
00 =割引なし。
【０３８５】
10 = 10%, 20 = 20%など
99 =100％を特筆する。
【０３８６】
例としてはA199xxxxxxxx＝ゲスト優待パス、つまり100％の割引。
【０３８７】
B150xxxxxxxx=『私的』の社会にアクセスできる非TBSユーザであり費用に50％割引が適用される。
【０３８８】
もし選択肢が『市場パスコード』である場合、全ての『市場パスコード』は無料であるため『割引』コードは自動的に99になる
『確実性と時間枠』にて、全てのパスコードの5番目と6番目の文字は『パスコード』が有効である時間枠示してある。
【０３８９】
5番目の文字は0から7のうちのどの番号も可能である。
【０３９０】
6番目の文字は0から9のうちのどの番号も可能である。
【０３９１】
それゆえ数字の範囲は01から79(1から79か月)
しかし『社会』スクリーン6 (生成されたパスコード)のモックアップ(外見を実物そっくりに似せた模型のこと)では1から12を月、そして0から5を年としています。
【０３９２】
前記のは最大5年+12か月=72か月という意味である。
【０３９３】
『不明』なパスコードは一切ないことを特筆する。
【０３９４】
『追加の文字』について、『パスコード』の安全性を保つためと十分な量なパスコードの確保を保障するため、パスコードの合計の長さは常に英数字の12文字による文字列である。
【０３９５】
下6桁の数字は乱雑にTBSにより選ばれるが、SKU(Stock Keeping Unite、在庫商品識別番号の意)やバーコードのように明確に追跡される。
【０３９６】
前記下6桁は各『パスコード』を唯一無にものへとする、
つまり、62 ^6(560億)通りの可能性がある。大文字と小文字は違った文字形式というよりも同じものではないと特筆する。
【０３９７】
パーソナルエイド(PA)と市場専門家
『PAの役割』はTBS会員のためのプラットフォーム・サポートを完了すること。
【０３９８】
1つのパーソナルエイドは最大で50人の会員まで配属される。
【０３９９】
PAは会員のアカウント上のほとんどすべてのことを会員にかわりやり遂げるが、ただし(1)どの会員のアカウント内のどのメッセージや投稿も閲覧することができないためPAは『転送』、会員の代わりに『返信またはすべてに返信』することができないが、いかなる形式のメッセージまたは会合を開始することはできる、(2)『交流履歴を閲覧する』ボタンをクリックをすることができないので会員の古いメッセージは蹄鉄される、(3)会員のアカウントを中止することはできない(4)ユーザアカウントのパスワードを変更することはできない(5)『安全』設定のページ上にあるどの設定も変えることができない、(6)『市場におけるPAの制限』において買い物かごの設定のみはできるが購買過程を完了することができない、という以上6点を除く。
【０４００】
『PAアカウント』について、パーソナルエイドは会員とはやや異なるスクリーンであるべきである。
【０４０１】
前記PAの右コラムはPAが担当する会員全員のリストがあり、どの名前をクリックすることでコラムは会員のスクリーンをエミュレートする(他のシステムの動作を模倣するの意)ためにPAの左、そして中央を変形させる。
【０４０２】
それからPAは会員のアカウント上の変更に影響をもたらすことができる。
【０４０３】
『PAのメッセージセンタ』は2つのフォルダーがあり、1つは会員からのメッセージ用、そしてもう1つはTBS従業員からのメッセージ用である。
【０４０４】
しかしながら、以下はPAの制限であり、その内容はどのメンバーの現在の『投稿』または『メッセージ』、そしてどの交流履歴も閲覧することができない。
【０４０５】
それらに加え、会員のアカウントを中止することはできない。ユーザアカウントのパスワードを変えることはできない。『安全』設定のページ内のいかなる設定も変えることができない。
【０４０６】
『PAの左ダッシュボード』について、PAは担当する会員のアカウントにログインできるので会員の左ダッシュボードと中央コラムをエミュレートする。
【０４０７】
しかしながら、もし前記PAが担当する会員のアカウントへログインしないと、PAは自身の普通のアカウント(PAスクリーン)中にいることになる。前記PAスクリーンは以下の点がことなる。『ニュース』はTBS管理者または他のPAによる投稿のみで構成される。
【０４０８】
『社会』ではPAまたはTBSを基にした社会にのみ所属する。
【０４０９】
『生活様式』においては、PAはTBSエクゼクティブ会員には閲覧できない自身のための生活様式の入り口を有する。
【０４１０】
『プロフィール』はEメール、携帯電話の番号、仕事の地位、メールドレス、肩書き、会社、収入、従業員の数、チームサイズ、予算サイズ、機能、直属の部下、NAICSコード、アドレス、現金報酬、仕事内容、あなたの専門知識、または『身元照会先』などの必要ない小規模なプロフィールである。
【０４１１】
さらにPAは『市場』を持っていない。
【０４１２】
F2Fの中ではPAは『会合申請』を設定することはできるが、他のPA、そして会員またはTBS経営陣と一緒でなくてはならない。
【０４１３】
PAは他の会員によるアクセスをブロックしている。
【０４１４】
PAはどの担当している会員そしてTBSのどの従業員とも『仲間』になれる。
【０４１５】
『点数表』は2つの分野で構成されている。(1)『上の地域』について、会員の名前、社会のための月の間の『獲得点数』、会員がその社会に残るための獲得すべきMMPT(Minimum Monthly Point Total、毎月の最低点数総計)を含む要約表、『未解決のメッセージ』、つまりは特定な社会のための未読そして未対応メッセージの数、『未解決の会合申請』、つまりは特定な社会のための未読そして未対応の会合申請の数、『シェーディング』、つまり得的の点数が低い各月の終わりに向けて獲得されたいかなる会員の点数に対比して、その月の日付により(月末に近い=赤)彼らの社会へのMMPTが既読まはた黄色いシェーディングであらわされるという、以上の点を含めた要約一覧表である。
【０４１６】
『点数表』がまた(a)PAとTBS間、(b)PAと会員間でのメッセージのやり取りやF2Fを追跡するとき『パーソナルエイド点数表の下の地域』はPAの個人的な実績を示す。
【０４１７】
この表は会員アカウント内の会員点数表一覧とまったく同じ見える。
【０４１８】
『中央コラムの上の地域』は(1)『ページの名前』は普通の会員のスクリーンと似ていて、一番上の行はページ名(例えば『ニュース投稿』、『メッセージセンター』など)ハイフン( - )と2つのうちの1つの可能な原文に続く、(2)『マイスクリーン』はPAがメンバーのスクリーンにログインしているのではなく実際に自分自身のアカウントを閲覧していることを伝える。
【０４１９】
もしPAが会員のスクリーンにログインしていたら、『マイスクリーン』の代わりに『会員のスクリーン(名前、名字)』が表示される。
【０４２０】
『会員のアカウントログアウトボタン』は、PAが会員のアカウントにログインしたとき『のみ』に現れる。
【０４２１】
しかしそれから『全ての』パージの中央コラムの右上角に位置するようになる。
【０４２２】
このボタンをクリックすることで会員のアカウントからログアウトができ、PAを自身のアカウントページへと戻る。
【０４２３】
もし前記ボタンをクリックする代わりに、PAが右コラム内の会員の名前リンクの1つをクリックした場合、2つの事実を達成する。その2つとは(1)現会員のアカウントからPAをログアウトさせる、そして(2)PAを新しい会員のアカウントにログインさせる。
【０４２４】
『右コラム』について、広告エリアは『会員のアカウント』一覧表に置き換えられる。その一覧表は(a)『会員』の名前と(b)会員が最後にログオンした日にちの2つのコラムが表示される。
【０４２５】
前記一覧表の各会員の名前はトグルスイッチとして働き、いくつかの削減された機能（下記に詳しい説明があり。）を除いてPAのスクリーンを会員のスクリーン（エミュレータ）に変更するリンクである。
【０４２６】
『監査証跡』とはPAが会員のアカウントに変わって行う各出来事/キー操作はTBSが責任の管理、またはもし問題が起こった時に守れるために追跡されている。
【０４２７】
しかしながら彼らの『アカウントページ』内にいる各会員が閲覧できる『監査証跡』は全ての詳細を示すさずむしろ完了または未完了の行動の要約を示す。
【０４２８】
一覧表の各行は『会員』の名前、『ログイン』の日付、『開始時間』、『終了時間』、会員アカウントへのログインの『継続時間』、全てのウェブサイト機能は可能な活動のリストに分類される(システムがこのリストより選ぶ)『活動』開始時が含まれる。
【０４２９】
『結果』(完了に対比した放棄)は『＞』記号(もしクリックすることでユーザを特定の活動に運ぶ場合)となる。
【０４３０】
プロフィールページ
プロフィールページは2つの面があり(a)情報の『頭文字入力』と(b) 一度会員が精査されてからの『閲覧とプロフィールの編集』情報である。
【０４３１】
以下を参照。
【０４３２】
頭文字入力とプロフィールの作成には統計学、バッジ、または象徴など必要ない。
【０４３３】
ユーザがTBSウェブページへのアクセスをするため完了していないといけないページがある。
【０４３４】
完成率の色は20％増分の中でユーザの進歩を示す。
【０４３５】
情報はそれから5つの分野に分類され(5* 20% = 100%)、その内訳は『個人情報』、『経験(企業そして専門家)』、『教育』、『生活様式』、『身元照会先』である。
【０４３６】
その他の状態を証言しなければ、以下に続く入力分野の全てのセクションは登録完了とTBS会員になるために必須である。その必須項目とは『名』、『名字』、『あだ名』、『写真』、『性別』、『生年月日』、『ジョブステータス(『フルタイム』、『コンサルタント』、『過度期』)』『住所』、『国』、『州/プロピンス(カナダは州、日本は都道府県、中国は省など国によって違った名前を持つが示す意味は同じである。)』、『市』、『住所』、『部屋番号』、『郵便番号』、『携帯電話番号』、『主要のEメールアドレス』、『代用のEメールアドレス』、『称号』など『個人情報』を含む。
【０４３７】
『経験(企業そして専門家)』にて、各仕事について会員は『経験を追加する』。
【０４３８】
以下の分野は指示されたとき以外と『現在の地位』を除いて全ての『経験を追加する』ページに現れる（以下を参照）。
【０４３９】
全ての分野は指定された他の方法がないなら必須項目である。その分野は以下の通りである。『開始年』、『終了年』、『現在の地位』、『ここ3年の基本報酬』、『あなたの評判は？』、『あなたの経験は何ですか？』、『役職』、『企業(もしTBSデータベース上に名前が存在しない場合、ユーザは<企業を追加/オフィスを追加>のみをクリックする必要があり、それから全ての関連性のある企業情報を追加する手順を完了させる。)』、『株式会社に対比する非上場会社』、『会社内の機能』、『会社の総収入』、『チームサイズ』、『直属の部下の人数』、『NAICSコード(レベル1から4)』、『会社の電話番号』、『内線』、『国』、『州/プロビンス』、『市』、『住所』、『URL』、『仕事の詳細』、『あなたの評判は？』、『あなたの経験を述べてください』、
『教育』(すべて必須項目)は『開始年』、『終了年』、『大学名』、『場所』、『専攻分野の学位』
『生活様式』では、5つのカテゴリーのそれについての情報がある。
【０４４０】
TBSは『スポーツ』、『レジャー』、『旅行』、『ホーム』、『人材育成』などのユーザの好みを決定することを試みるため各カテゴリー内の全てのチェックボックスは任意である
『身元照会先』では4つの照会先が必須であり、そのうち1つは同じ雇用者の下で働いている者が好ましい。
【０４４１】
『プロフィールページの上半』について、会員は4つの異なる彼らの個人情報、専門的な情報、そしてTBSベースの情報(ステータス、称賛など)の異なる程度を示したビューを有する。そのビューは閲覧者が(1)会員、(2)関連会員、(3)非関連会員、(4)臨時会員かどうかにより規制されている。
【０４４２】
b.  『プロフィール上で有効なボタン』についてまず『会員との+会合』とはこのボタンをクリックすることで『+リーチアウト(通信を試みること)』内の同じアイテムをクリックするときとまったく同じのポップアップ・メッセージ・ボックスが現れる。
【０４４３】
『会員+メッセージ』では、このボタンをクリックするこでで『+リーチアウト』内の同じアイテムをクリックした時とまったく同様のポップアップメッセージが現れる。
【０４４４】
『+仲間』について、もしあなたの『仲間』になって欲しい場合、申請されてる会員に自動メッセージを送る。
【０４４５】
『<会員の仲間を見る>ボタン』は、前記会員に関連するユーザのためにのみ有効であり、彼らが会員の『仲間』を見ることができる。
【０４４６】
『<会員との交流履歴>ボタン』について、このボタンをクリックすることで2人の会員の間の全てのメッセージ(投稿ではない)のリストが見れる。
【０４４７】
右のコラムはリーチアウト・ドロップダウン・メニューと広告ボックスの2つのアイテムが収納されている。
【０４４８】
『リーチアウト・ドロップダウン・メニュー』は『+投稿(新しい投稿のポップアップボックスがでる)』、『+メッセージ(新しいメッセージポップボックスがでる)』、『+会合(+メッセージと同じだが『会合』申請の場合のみ)』の3つの選択肢を含んでいる。
【０４４９】
『+リーチアウト』の下には『+PAリーチアウト(<+メッセージ>と同じだがメッセージが会員のパーソナルエイドの元のみに行くため受取人がいない)』というボタンがもう１つある。
【０４５０】
点数表とパフォーマンス評価システム
『点数の目的』について、TBSの芯の任務は交流を生み出すことであり、そのため会員へのネットワーキングのためである。
【０４５１】
TBSはプラットフォームを通して全ての交流を計り、重役の座そして他の『会員』への贈り物を買うためにポイントを使用することができるなど称賛と共に会員を報いる。
【０４５２】
それと同時に、社会においての自身のMMPTを達成できない形の成績不振は前記社会からの除名という結果になるかもしれない。
【０４５３】
『F2F会合での点数』について、報酬は参加人数によるますます増加する。1対1の会合(2人)より参加者3人の会合は1点多く獲得する。
【０４５４】
各追加の参加者により、各参加会員へ皆に価値がある1点が追加される。
【０４５５】
『点数表と活動アイテムの要約』について、コラムのヘッダーは『社会の名前』、『社会で獲得した今月の点数』、『MMPT』、『未解決のメッセージ』、『未解決の会合申請』を含む。
【０４５６】
『詳細な点数一覧表』は会員が何点獲得したかを活動型式によって詳しく述べる。
【０４５７】
時間枠は社会(または総合的なTBS)の選択肢のように変更可能である。
【０４５８】
前記一覧表の上部にあるアイテムは『選択肢の範囲(会員の社会のドロップダウン・メニュー。もし1つ以上であるば<TBS全て>を押す)』、『時間帯の選択(月または年月の範囲)』を含む。
【０４５９】
コラムは『活動型式(<分配点一覧表>のリストより)』、『会員の型式(社会会員、<仲間>と非関連会員)』、『数(その時間帯に活動が何回行われたか)』、『点数の価値 (<分配点一覧表>に基づく)』『合計点数(<数>に<点数の価値>を掛ける』を含む。
【０４６０】
『社会の会員のポイント一覧表』は各社会の会員により獲得された点数を示していて、各会員に対して2つの統計のみ(MSPT とMSPMT)を表示する。
【０４６１】
『全部の点数表』の目的はウェブサイトの3つの地域の色々な種類の統計を表示するためであり、その3つの地域とは(1)1つの『社会』のみの範囲内で個人のパフォーマンス測定基準により測定された点数、(2)ウェブサイト全体の個人のパフォーマンス測定基準により測定された全ての会員の点数(3)全ての『社会基準』のパフォーマンス測定基準である。
【０４６２】
検索と上級者用検索
『基本の検索』はキーワード検索にを基にしている。
【０４６３】
ユーザは『会員』、『会社』、『メッセージ』、『社会』の4つのうちの１つの検索を選ばなくてはいけない。
【０４６４】
『上級者用検索』において、ユーザは4つの検索型式(上記にある<基本の検索>を参照)のうち1つを選ばなくてはならず、それからユーザはTBSデーターベースに基づいた多くのデータ検索分野から選択することが可能である。
【０４６５】
各4つの型式に対し、以下のデータ分野が検索可能である。その分野とは『会員(『名』、『名字』、『雇用者』、『役職』、『市』、『群』、『ネットワーキングレベル』)』、『社会(『名前』、『市』、『群』、『NAICSレベル2または4』)』、『メッセージ(『カテゴリー』、『題名』、『本題』)』、『社会（『社会の名前』、『市』、『国』、『型式』、『機能』、『NAICレベル2から４』）』。
【０４６６】
『新しい社会の会員を探す(またを招待された人の好みリスト。『社会』を参照』は新しく『社会』の会員になる可能性がある人の確認をする特定の検索で、上級者向け検索機能と全ての『社会』ページ(『社会』の項目を参照)内のボタンのどちらでも使用可能である。
【０４６７】
前記検索を一番に選ぶと他のドロップダウンメニューがユーザが可能性のある新しい会員を探すためにどの社会を選ぶのかを聞く。
【０４６８】
同じコラム状となる結果は『会員検索』という結果になるがLPT(Lifetime Point Total 、存続期間の合計点数の意)とMAMPT(LPTをTBS会員である期間の月の合計を割ったものがMember’s Average Monthly Point Total<会員の月の平均合計点数の意>となる)という2つのコラムの追加によるものだ。
【０４６９】
『選択肢』では一つの選択肢をドロップダウンメニューに追加する。そして『+好みリストに追加する』は追加の『安全』確認をするためポップアップメッセージ・ボックスが現れる。その内容は、英数字による最低限6文字、そのうち1文字は数字で表すことが必要となる『パスワード』である。
【０４７０】
強度を示すバー
もし誰かが自身のパスワードを忘れてリンクをクリックした場合、パスワードを含まないがパスワードをリセットし新しいものを作成しなくてはいけないリンクが含まれた確認Eメールが自身のファイル上のEメールアドレスに送られる。
【０４７１】
ユーザはアカウントがユーザからTBS従業員に連絡をとらざるえない状況になる『締め出し』となるEメールを伴う前に正しいパスワードを入力するチャンスが3回ある。
【０４７２】
社会
『目的』はネットワーキング、また知識を促進しその他に共通する話題を交換しあうための交流をを最大限にするため。
【０４７３】
前記使命はTBSソフトウェア・プラットフォームとウェブサイト・デザインにおける主要の要素である。
【０４７４】
さらにフェイス―・ツー・フェイスで出会う間の継続性の役割も意味している。
【０４７５】
この第二のTBSの事実はウェーブサイトと並行して行われる。(フェイス―・ツー・フェイスを参照)
『レイアウト』にて、『プラットフォーム社会』ページでは2つの地域から構成される。
【０４７６】
まず1つ目『上の地域』はスクロールできるサムネイルヴューアと個人の会員情報［特定のサムネイルへ］を収納する。
【０４７７】
3つのボタンがこの地域では提供されている。(1)『社会プロフィールを見る』ボタン(社会で行われるべきことを創作者/リーダによって入力された全ての情報を表示する)、(2)『パスコードを管理する』ボタン(ユーザが生成した現在のパスコードをユーザに見せるために中央コラム全体を変更する)、(3)『リーダー情報』(ユーザをフッターリンク内のリーダ情報と同じページに導く。情報はリーダの責任についてのみである。)
下の地域は3つのタブのシリーズを含む。(1)『会員』 (サムネイル、名前、役職、企業そして多数のパフォーマンス統計に加えて全ての現在の社会の会員の表型式のリスト)、(2)『近日中の会合』(特定の社会に関係している会合のみという部分を除きF2Fページ内の『近似中の会合』とまったく同じように似せてある)、(3)『優先される招待された人のリスト』(社会の会員を増やすのを助けるため、現在の社会会員全てがTBS会員権を検索し新しい会員になる可能性がある人を探し、その検索結果によりリーダーまはた会員、またはパスコードを通じてのアクセスが直接許可されている社会のプロフィールへの閲覧を招待することができる)
『社会のカテゴリー』は、最初に社会は『公共』(閲覧されるまたは加入必須条件に見合っているどのTBS会員からもアクセス可能)または『私的』(パスコードを通してのみアクセス可能)どちらかの開放感を定義している。
【０４７８】
第二に、4つのうち1つの社会型式について(1)産業ベース、(2)機能ベース、(3)専門分野(何でも可能、例えば40歳以下の女性、Cisco卒業生など)、(4)国際的(色々な国の人が1つになる)
『サイズ』について、各社会の会員数は『創設者』または『リーダー』により形成される。
【０４７９】
社会を作るときの初期化設定は最大限の会員数が設定されている。
【０４８０】
産業と機能社会は最低人数15人、最高人数は25人。
【０４８１】
専門社会は最低人数15人、最高人数は25人。
【０４８２】
私的な社会は最低人数5人、最高人数25人。
【０４８３】
国際は最低人数10人、最高人数25人。
【０４８４】
『満たすまでの時間帯』について、会員が新しい社会を作ったとき、3か月以内(成立期)に最低会員数を達成してないといけない。
【０４８５】
TBSはどの社会が結成されたか日付を追跡し、会員権が最低条件より遅れている場合に成立期間中に創設者に警告メッセージを発行する。
【０４８６】
『最低月刊合計得点(MMPT)』は各社会で各メンバーが毎月最低限の獲得必須点数に関係している。
【０４８７】
点数は点数授与一覧表に基づき割り当てあれる。(『点数表』を参考)。
【０４８８】
各社会の『創設者』または『リーダー』はMMPTを『産業と機能社会は最低人数10、最高人数50（退会者は25人）』、『専門社会は最低人数10人、最高人数50人（退会者は25人）』、『私的な社会は最低人数0人、最高人数25人(退会者10人)』、『国際社会は最低人数5人、最高人数25人(退会者10人)』として構成することができる。
【０４８９】
『MMPTを達成することの失敗』とは、もし社会会員が与えられた月に社会のために自身のMMPTを達成しなかった場合、そして提供された時間枠(月終わりの10日)以内にその状況を正さなければ、彼らは自動的に社会から削除され、そして社会メッセージが全ての共同社会会員へ送られる。
【０４９０】
『社会へアクセス』では、社会プロフィールページより、ユーザは(1)パスコードを使用する、(2)  TBSデータベースによって自動的に確認される『必須の加入基準(REC)』を達成する、という2つのうちの1つ方法で社会に参加することができる。
【０４９１】
もし最低１REC が達成されていないと、ユーザは社会に加入できずにその内容を示したメッセージを受け取る。
【０４９２】
もしすべてのRECに見合った場合、直ちに加入し、必ず賛成しないとならない注意書きが提供される。
【０４９３】
『社会』ページの一番上にある『社会を作成する』ヘッダーリンクをクリックすると『メッセージセンター』ヘッダーリンク内の『+会合』に似たドロップダウンボックスが現れる。
【０４９４】
完了する分野は(1)『社会の型式』(上記のリストになっている1から4だが、もし国際が選ばれたら地域と国に対する距離を聞く無線ボタンが現れる)、『名前』(創設者はどの名前も選ぶことができる)、
『ロゴ/写真』(創設者は彼らの社会を代表するグラフィック画像をアップロードすることができる)、『公共に対比する私的』、『HQ(ヘッドクォーター、本部の意)の所在地』(創設者の雇用者住所を基にしてシステムにより自動的に決められる。その市の市役者に初期設定されている。それから創設者は住所を変更することができる)、
『創設する』(日にちは自動的にTBSにより入力される)、『必須である最低月刊合計得点』、『最高会員数』、『目的』(120文字以内)、『詳細』(200文字以内)、『必須の加入基準(REC)』(公共の社会のみにアクセスを制限するために使用する。これらの基準はTBSデータベースより可能なデータ分野を基に社会の創設者/リーダーにより選ばれる。)、『優先される加入基準(PEC)』(RECに似ているが社会への加入は必須ではない)。
【０４９５】
一度社会が創設されると、許可された会員のリストの型式が『社会プロフィール』ページ上に現れる。(更なる詳細は<社会プロフィール>を参照)
『社会』ページの一番上にある『+社会メッセージ』というヘッダーリンクをクリックすると『＋メッセージセンター内のメッセージ』ヘッダーリンクと同じドロップダウンボックスが現れる。唯一の違いと言えば、受取人分野が社会内の個別会員と同様に社会の名前もすでに決められている。
【０４９６】
個別の名前はどの会員の名前の横にある『X』をクリックするこにより削除することが可能である。
【０４９７】
追加の名前を加えることはできない。
【０４９８】
『社会』ページの一番上にある『社会の会合を創設する』というヘッダーリンクをクリックすると『＋メッセージセンター内のメッセージ』ヘッダーリンクと同じドロップダウンボックスが現れる。唯一の違いと言えば、受取人分野が社会内の個別会員と同様に社会の名前もすでに決められている。
【０４９９】
個別の名前はどの会員の名前の横にある『X』をクリックするこにより削除することが可能である。
【０５００】
追加の名前を加えることはできない。
【０５０１】
『社会』ページの一番上にある『社会会合から辞める』ヘッダーリンクをクリックするととても単純なドロップダウンメッセージボックスが現れる。
【０５０２】
受取人の分野は社会の名前のみを表示するが(ユーザが属するどの社会にも変えることができる)全ての社会会員の下へメッセージが送られるため個人の名前は表示されない。
【０５０３】
『社会』を辞めることは2つのメッセージ形式の結果となる。(1)『メッセージセンター』は上記で述べたように、前記会員が辞めるためメッセージが社会の会員にのみ送られる。
【０５０４】
前記メッセージは退会者から自ら書いたものまたはTBSのテンプレートを使用したものである。
【０５０５】
(2)『ニュース投稿』について、全ての関連会員はあなたが退会した社会からの会員も含んだ『ステータスアップデート』を受け取る。
【０５０６】
『ステータスアップデート』はただ『<名前>が<社会の名前>を退会しました』と述べているだけである。
【０５０７】
もし退会する会員が社会会員と誰かの仲間の両方である場合、1つの『ニュース投稿』のみが送られ社会ページの一番上にある『パスコードを生成する』ヘッダーリンクをクリックするといくつかの分野のドロップダウンボックスが現れる。
【０５０８】
そこには5つの型式がある(『パスコード』を参照)。
【０５０９】
誰が『社会』を作ることができるだろうか？それについては、いかなる『精査された』会員ならだれでもでき、『社会』ページまたはTBS管理者は社会の『外観』が設定が可能であり、また会員が集まるために召集するのを手てだうことも可能である。
【０５１０】
『その他の社会の制限』とは一定の企業より最高3人まで同じ公共社会に属することが可能である。
【０５１１】
『私的な社会』はこの制限を設けていない。
【０５１２】
『毎年の社会会合の最低回数』とはいかなる社会が作成されたらいつでも、TBSは毎年の社会会合のために提案された6つの日付を含むカレンダーを自動生成する。
【０５１３】
TBSが6つの日付を提案している間に、各社会は一年に最低限2回、最低６カ月に一回の会合を行る必要がある。
【０５１４】
社会の『リーダー』のみがこの日付や他の日付を変更することができる。
【０５１５】
リーダーには設定することと社会のカレンダーの管理件がある。
【０５１６】
会合がもし(1)現在の会員の40％がイベントに出席する、または(2)6人の会員がイベントに出席するより規模が多くなった場合、『社会』会合とみなされる。
【０５１７】
以下の状況(1)物理的な距離の問題のため『国際的』そして『域内』社会、(2)『私的な社会』、(3)TBSに年間F2F必須条件を差し控えることを頼んでいる社会は年間会合のルールより免除されている。
【０５１８】
このような要求を受け取るうえで、TBS管理者は『社会』の(点数を基にした)総合的なネットワーキングとその他の関係ある事実を基に、免除が許されるかどうか決定することになる。
【０５１９】
もし社会が最低回数の会合を開催することに失敗すると、ケースバイケースを基本に『社会』の解散という結果になりうる。
【０５２０】
会合は(最低)6カ月ごとが必須である。
【０５２１】
5か月が刻まれると、『リーダー』のもとへメモメッセージは送られる。
【０５２２】
起こるべき社会の会合が起こらなければ、TBSは社会を解散させることも、全ての会員のネットワーキング得点の合計、社会の目的、そして会員の必要性などを基に免除を与えることも可能である。
【０５２３】
各『社会』の各会員はMMPTを達成するだけではなく、一年に最低2回『社会』会合に出席するという必須条件がある。
【０５２４】
もし『社会のタイムライン(時間線の意)』に2回のみしか設定されていなければ、会員はその2回に必ず出席しなければならい。
【０５２５】
参加状況を確実にするために、創設者/リーダーより『社会』年間カレンダーや会合が設定されるとすぐに、タイムラインとF2F会合の詳細が説明されている自動生成メッセージが全ての社会会員のもとへ送られる。
【０５２６】
さらに、各会員は『リーダー/創設者』より『会合申請』を複数受け取るため、もし6つの社会会合が作られた場合、各会員は様々な日付、場所、予定などが記載された6通バラバラの『会合申請』を受け取るということになる。
【０５２７】
『受諾/拒否』ボタンと残りのメッセージはすべて標準である。
【０５２８】
開催場所、時間、予定、会合の型式は全て設定しなければならない。
【０５２９】
これは『+会合』の機能にとてもよく似ている。
【０５３０】
最低回数の社会会合に参加することを失敗すると社会からの追放となる。
【０５３１】
『社会間の競争』とは、本質的に、社会はチームと競争、統計による測定、グループ中で責任があるものとして会員が参加するモチベーションを上げることを手伝ったりする。
【０５３２】
社会間での育成競争は彼らの『社会』に忠実であることと同じように会員間のより一層の相互作用とネットワーキングを生み出す。
【０５３３】
優先方法は合計点数を追跡し表示することである。
【０５３４】
会員が加入する『社会』を探しているとき、特性の種類の1つは上記の統計上のどれかに区分されるため、より良いパフォーマンスを行う会員のいる社会への要求を作成する。
【０５３５】
社会は彼らの(市、地域、そして国によって)パフォーマンス統計学を基にして地理的に順位づけされる。  
【０５３６】
『社会のリーダー』にてついて、『リーダー』とはCEO(Chief executive Officer、社長の意)のようであり、オンラインのキャプテン、そして彼らの社会の調整役である。
【０５３７】
社会を作りあげ管理することで向上するために『リーダー』を奨励するため、TBSはより幅広い範囲での力を与える。
【０５３８】
リーダは(1)いかなる『ゲスト』(『ゲスト優待パス』を使用している会員)を追い出すことができる、(2)『社会』の詳細、構成、ロゴ、写真などを変更できる、(3)『仮想の入り口』のRECとPECを変更することができる、(4)メッセージ内にリンクが組み込まれたよりどのTBS会員もリーダーの社会に招待でき、『仮想の入り口』上の全てのRECとPECを回避する能力を持っている、(5)RECとPECを回避する『パスコード』を与えることで、いかなるTBS会員または非TBS会員が加入するための招待することができる、(6)リーダーはまたネットワーキングの促進と社会の会合のためのタイムラインを設定する責任もある
『私的な社会』とは、もし招待制による会員のみを受諾しREC基準を基にしてTBS会員に開放しないと私的と考慮される。
【０５３９】
『私的』社会の会員は他の非『私的』な社会に属している、または彼らが『公表する』ボタンをクリックしていない限り、TBSの他の会員には見えない。
【０５４０】
これらの社会はパスコードを使用することによってのみ参加することができる。
【０５４１】
『社会プロフィール』ページとは、各社会は2つの主要な地域より構成されているプロフィールページを有する。その地域の1つは(1)『上の地域』であり、『社会の型式』(<産業>、<機能>、その他)、NAICSコード、『社会』の『目的』と詳細、『写真またはロゴ』、『社会の名前』、『リーダーの名前』、『所在地(HQ)』、『設立日程』、『アクセス(『私立』または公共』、『編集』ボタン(リーダーのみ)、
『<パフォーマンスステータスを見る>ボタン』はもし社会が『私的』な場合、社会がこれらの統計は閲覧可能ではないにも関わらず点数表(TBSの活動パフォーマンス測定システム)から発生する色々な種類の統計の一覧表を表示するポップアップボックスを表示する、会員数(現在、最大数、可能)、条件による会員数の制限(非『私的』な社会のみ)、そして2つ目『下の地域』では『公共の社会のみ』は会議室へアクセスするために使われるような大きな両開きのドアに似ている『社会』ドアを表示する。
【０５４２】
ドアには『社会の名前』、『パスコード』、『エントリボックス』、『REC条件のリスト』、『PEC条件のリスト』、『エンターボタン』などいくつかの機能と情報がある。
【０５４３】
もしRECが達成されない場合、『あなは現在この社会の必須条件に見合いません。』というメッセージつきのポップアップボックスが表示される。
【０５４４】
もし会員が『精査されていない』場合、彼らはどの社会にもアクセスできない。
【０５４５】
もしユーザがすでに会員だったら『あなたはすでにこの社会の会員です』というポップアップメッセージが表示される。
【０５４６】
もしユーザがまだ会員になっていない場合、両開きのドアの隙間が開き、『おめでとうございます。あなたは<名前>に問題なく加入いたしました。以下の注意書きをお読みなり正しいボタンをクリックしてください』というポップアップボックスが現れる。
【０５４７】
以下が同意しなくてはならない注意書きだ。
【０５４８】
馴れ合いの会話のような場所を設けないための役割を果たすことで『助長や扇動』違法行為を避ける
競合先の会合(産業社会)のための管理上のルールを読んでおく。
【０５４９】
もしユーザが『行く』ボタンに続く『合意しない』を選ぶとドアは再び閉まる。
【０５５０】
もしユーザが『行く』ボタンに続く『合意する』を選ぶと、ドアを通りすぎその社会へのスクリーンへと連れていかれる。(主要の社会ビューのスクリーン１を参照)
もしユーザが空いてるスペースがない社会へアクセスしようと試みたら、『申し訳ございませんが、こちらの社会には只今空きがございません。また数週間以内にご覧ください。』というポップアップメッセージが現れる。
【０５５１】
『下の地域』とは『私的な社会のみ』であり、RECとPECがないということを除いて『社会のドア』は公共の『ドア』(上記)と同じように見えるのと同じように振る舞う。
【０５５２】
ドア上に常時される唯一の者は『パスコード』と大きな『エンター』ボタンがあるテキストボックスである。
【０５５３】
正しいまたは正しくないパスコードを入力すると(上記)『プラットフォーム社会』と同じ結果になる。
【０５５４】
しかし仮にユーザがパスコードを持っていて、もし空きがない状態だと、『申し訳ございませんが、こちらの社会には只今空きがございません。また数週間以内にご覧ください。』というポップアップメッセージが現れる。
【０５５５】
統計とメトリクス(測定法の意)
『アクセスス統計』は月間ウェブページビュー、入ってくるインターネットドメイン、入ってくる(IPを基にした)ジオロケーション(ユーザの位置情報を扱うものの意)、月間の珍しい訪問者、月間のリピーター、トラックバック(ブログ間のリンクの仕組みの意)、サイト上で過ごす平均時間、毎月の新しい入会者数を含む。
【０５５６】
『構造統計』は(一方方向、両方向の)接続、ネットワークサイズ、誰が所属するかの社会的実例、各会員よって使用された各ボタン/リンクの回数と合計、会員数、活動中そして活動していない会員率、作成されて満たされたリーダーシップの役割、社会的実例の数、各テキストモデル(どの内容が記載されているか分析するモデルの意)による実例の数、総会員数、社会の数、各月に創作された社会の数、社会に参加している会員数、社会を去った会員数、各会員の仲間の平均人数、各地理的位置(中心市街地)の各会員の新しい仲間の平均人数を含む。
【０５５７】
『務め』は誰かが参加するまたは彼/彼女が創作したコンテンツ(情報の中身の意)社会的務め、会員の勤めの参加率、勤めの完了度、完了した務めからの成功話と結果、放棄、コンテンツの送信と投稿、完成度が高い『社会的』務めを含む。各会員と顔を合わせる時間と各会員同士でF2Fで出会った総合時間。
【０５５８】
『各会員との仮想会合』は記録された時間と実例の総合数である。
【０５５９】
会員が会合への招待状を受諾したが参加しなかった回数。
【０５６０】
これはTBS上の公共情報であるべきだ。
【０５６１】
『プログラム』は市場提供のためのもの、アンケート調査と他のプログラム、会員数とどの会員がプログラムを使用しそしてその頻度を追跡する。
【０５６２】
回付(送付の意)とはどの会員が回付のEメールを送り誰がそれを受け取ったかを追跡する。
【０５６３】
PAは各会員がPAに連絡をした回数と各PAによって差し出されたスレッドの長さの平均。
【０５６４】
PAの生産性は各月にサポートをした会員数、PAの各月の記録された時間、各会員へのPA時間の平均、そして一番売れた実例。
【０５６５】
『社会』は各『社会』と各『社会の月』の会員の点数の中央値と同じように平均を計る。
【０５６６】
各会員の社会の数
『産業と機能』の各型式のための社会の数
『メッセージのやりとり』は、各月、各会員が受け取った『ニュース投稿』アイテムの数、各月、各会員が受け取ったメッセージの数、それぞれによって閲覧された平均率、それぞれに返信があった平均率(各『ニュース』に対比する『メッセージセンター』のみではなく、各『ニュースのカテゴリー』と各『メッセージのカテゴリー』に対してでもある)。
【０５６７】
『ニュース投稿』アイテムを閲覧した会員の合計数
各会員の各メッセージの平均文字数
『ビジネス』は購入履歴、発生した収入、傾向、顧客満足度(批評/評価の要約)、リピター顧客率を含む。
【０５６８】
『仲間申請』ではどの会員がどれだけ『仲間申請』を送りどのくらいの申請が『拒否』に対比し『受諾』されているか追跡する必要がある。
【０５６９】
理由は全ての人と交信しようとするが可能性があるウェブサイトの悪用のために拒否されている会員を追跡するためである。
【０５７０】
上昇
TBSは全ての『社会』の『役員席』を作ることにより長期間会員と価値ある会員の認識をする。
【０５７１】
前記イスは最低1年間は空席のままとなるはずだが、社会は3から5つの役員席を有する。
【０５７２】
その後は自動アルゴリズム(プログラムの解法手段)が現在のTBS会員より候補者を生み、社会での役員席を申し出る。
【０５７３】
受諾すべき会員は、社会の標準投票ルールにより投票で辞めさせられない限り、会員はその席をいつまでも有することになる。
【０５７４】
会員は会員『点数表』ページ上で可能な大量の統計を含む専属のアルゴリズムにより選ばれる。
【０５７５】
『顧問』会員より高いレベル(管理職やスタッフレベルの場合)から引き抜かれることができるのに対し、役員になることはきっとそれぞれのレベルの『社会』会員のたまりを引き抜かれることとなるだろう。
【０５７６】
累計点数が大きい全ての会員が役員になるために招待されるとは限らないことを特筆する。
【０５７７】
役員になることは社会会員ステータスを手放すという意味ではない。
【０５７８】
ユーザはある社会の役員と他の社会の普通の熾火役両方になれる。
【０５７９】
会員は多数の役員になることができる。
【０５８０】
現実の世界に似ていて、会員が価値ある人であればあるほど、より多く役員として活動する要求があるであろう。
【０５８１】
役員は『社会』から全てのメッセージを受け取るわけではないが、個人の社会会員が共用することを選択したメッセージのみ受け取る。
【０５８２】
上記で述べられたネットワーキングシステム、方法、構造、そして構成要素の変動は技術に成熟している者たちには明確になるであろう。そしてその変動は本発明の範囲内のものとして考慮される。
【０５８３】
従って、本発明のシステムと方法における修正と改造は本発明の範囲からそれることなく使用されることが可能である。
【０５８４】
特許請求の範囲とは
【国際調査報告】
2014527229.tif 000002
2014527229.tif 000003